(57)【要約】      （修正有）【課題】特別な設備を設置することなく、一本のノズルのみで噴出水自体に変化のある噴水装置を提供する。【解決手段】表面には吐出口５３を設け、底面には通水孔５１を設け、これら吐出口と通水孔とは連結孔５２で連通し、該吐出口より流水を噴出するようにしたノズル５と、流水の導水管８内に回動可能に設置され、上記通水孔に対向する複数の連通孔１２を設け、導水管中を流れる流水を遮断・給水する開閉弁４および該開閉弁を回動するための駆動機構２とから構成され、該開閉弁を回動させることにより、上記ノズル底面に形成した通水孔と開閉弁に開設した連通孔とが互いに合致したときに、ノズルの吐出口より流水を噴出するようにしたことを特徴とする。【選択図】図１
2010023015.tif 000002
【特許請求の範囲】
【請求項１】
ノズルよりの噴出水に変化をもたせるようにした噴水装置であって、表面には吐出口が設けられ、底面には通水孔が設けられ、これら吐出口と通水孔とは連結孔で連通し、該吐出口より流水を噴出するようにしたノズルと、流水の導水管内に回動可能に設置され、上記通水孔に対向する複数の連通孔を設け、導水管中を流れる流水を遮断・給水する開閉弁および該開閉弁を回動するための駆動機構とから構成され、該開閉弁と上記ノズルの底面とを当接して摺動可能に設け、該開閉弁を回動させることにより、上記ノズル底面に形成した通水孔と開閉弁に開設した連通孔とが互いに合致したときに、流水がノズルの吐出口より噴出するようにしたことを特徴とする噴水装置。
【請求項２】
上記駆動機構が導水管内に回動自在に介装された羽根車で、該羽根車により流水の運動エネルギーを回転エネルギーに変換するようにした原動機であり、該原動機により開閉弁を回動するようにしたことを特徴とする請求項１に記載の噴水装置。
【請求項３】
上記駆動機構がパルスモーターやステッピングモーターなどの原動機であり、該原動機により開閉弁を回動するようにしたことを特徴とする請求項１に記載の噴水装置。
【請求項４】
上記通水孔と吐出口を連結する連結孔の中ほどに、貯留部を形成したことを特徴とする請求項１〜３のいずれかに記載の噴水装置。
【請求項５】
導水管を流れる流水を噴出するための上記ノズルをケーシングに螺合することにより、該ノズルと流水を遮断・給水するための開閉弁とを着脱可能とし、これら開閉弁およびノズルを交換できるようにしたことを特徴とする請求項１〜４のいずれかに記載の噴水装置。
【請求項６】
上記羽根車を、導水管を分岐して形成したバイパス流路内に設置したことを特徴とする請求項３〜５のいずれかに記載の噴水装置。
【発明の詳細な説明】
【技術分野】
【０００１】
本発明は、噴水装置に関するもので、噴出水に変化のある噴水を提供することができる噴水装置に係るものである。
【背景技術】
【０００２】
通常、公園あるいは工場の片隅に設置されている噴水は、山間を流れる渓流や谷間を流れ落ちる滝と同様、我々の耳，眼を楽しませてくれて、非常に心安らぐものである。
しかし、いずれの噴水も、単に真上に噴き上げられるだけで、噴出する水に全く変化のないものが殆んどである。なかには、機械的にある周期をもって水を噴出させたり止めたりして、断続的に変化をもたせたものや、噴出水の反動を利用してノズル本体を回動したり、揺動することにより、噴出水に回転運動あるいは揺動運動をさせるようにしたものがある。
また、数十本〜数百本の噴水ノズルをコンピュータ制御して噴出水に変化をつけ、美感を誘うようにしたものがあるが、これはハイテク噴水と呼ばれる噴水で、コンピュータ制御により、ＣＤやライブによる演奏等の音楽に合わせて照明を点滅したり、噴水ポンプや給水弁の開閉を行うことにより水を遮断・給水して、あたかも噴水形状が変化しているように演出し、水のダンス，アクアアートの世界を現出させるものである。
【０００３】
このような課題に対し、本発明者が考案した種々の噴水が提案されている。例えば、実公昭５４−４７９号公報には、噴出水を断面正方形から十字状へ連続的に変化させたり、あるいは逆円錐状から円柱状へ連続的に変化させることができる噴水が提案されている。また、実公昭５４−２２４０号公報には、噴出水に扇を連続的に開閉するような変化をさせる噴水が提案されている。
更に、実公昭５７−２０２９３号公報には、上記実公昭５４−２２４０号公報に記載されたのと同様に、噴出水に扇を連続的に開閉するような変化をさせる噴水が提案されている。
【０００４】
また、特開平８−１３１９００号公報には、ノズルから水平方向に噴出する水の流れを扇形拡散板によりほぼ直角方向に拡散させ、且つ該扇形拡散板により拡散する水の扇形開角を制限設定する一対の開角板を角度変更可能に設け、扇を開閉する形状の噴水にする扇形噴水装置が提案されている。
【０００５】
【特許文献１】実公昭５４−４７９号公報
【特許文献２】実公昭５４−２２４０号公報
【特許文献３】実公昭５７−２０２９３号公報
【特許文献４】特開平８−１３１９００号公報
【発明の開示】
【発明が解決しようとする課題】
【０００６】
上記特許文献に記載された噴水装置は、確かに噴出する水に変化はあるが、いずれも噴出水を単純な繰り返しの往復運動をさせるのみであり、観者にすぐ飽きられてしまうものである。
それに、特許文献１〜３に記載された噴水装置の場合、いずれも複数の歯車とカム機構を組み合わせたもので、機械的なロスが多く、流水により得られる駆動力を無駄なく確実に伝達するのが困難である。そして、流水の流路中にカム等が介在するため、流水抵抗が大きく、また、係合部や回動する軸支部が多いため、漏水発生の可能性が高まり噴出効率が悪い。
特許文献４に記載された噴水装置の場合、扇形拡散板により拡散する水の扇形開角を制限設定する一対の開角板を角度変更可能に設け、この一対の開角板の角度を変更駆動する開角変更駆動装置が必要であり、該装置を駆動するために外部からの強力な動力が不可欠であると共に、多大の設備投資が必要である。拡散水の扇形開角を変更することは可能であるが、開角変更すると、その開角での拡散水の変化はある。しかし、単にその角度の範囲内での往復運動をするにすぎない。従って、該噴水装置も単純な往復運動をさせるのみである。
また、上記した多数のノズルを使用して躍動感のある噴水の演出を行う設備を構築する場合には、これらの装置自体は勿論であるが、噴水装置を作動させるためのコンピュータ制御装置に莫大な費用を要するものである。それに、個々のノズルは単に断続的に噴出するのみで、複数のノズルが協調して初めて噴出水に動きがあるような演出が可能となるものである。
【０００７】
本発明者らは、その後研究開発を重ね、上記種々の問題を解消したもので、ノズル自体に複数の吐出口を設け、該吐出口に連通する通水孔を開閉弁によって開閉することにより、一本のノズルのみで噴出水自体に造形的でより変化のある美しい噴水を提供することを目的とするものである。
【課題を解決するための手段】
【０００８】
本発明は、ノズルよりの噴出水に変化をもたせるようにした噴水装置であって、表面には吐出口が設けられ、底面には通水孔が設けられ、これら吐出口と通水孔とは連結孔で連通し、該吐出口より流水を噴出するようにしたノズルと、流水の導水管内に回動可能に設置され、上記通水孔に対向する複数の連通孔を設け、導水管中を流れる流水を遮断・給水する開閉弁および該開閉弁を回動するための駆動機構とから構成され、該開閉弁と上記ノズルの底面とを当接して摺動可能に設け、該開閉弁を回動させることにより、上記ノズル底面に形成した通水孔と開閉弁に開設した連通孔とが互いに合致したときに、ノズルの吐出口より流水を噴出するようにしたことを特徴とする噴水装置である。
【０００９】
上記開閉弁をパルスモーターやステッピングモーターなどの原動機による外部動力で回動するようにしたこと、あるいは流水の導水管内に設置し、該流水の運動エネルギーを回転エネルギーに変換して駆動力を取り出すための羽根車による駆動機構で回動するようにしたことにより、開閉弁の回動速度を自由に制御したり、あるいは外部動力を全く必要としないで噴水を楽しめるようにしたことを特徴とする噴水装置である。
【００１０】
本発明は、上記通水孔と吐出口を連結する連通孔の中ほどに、貯留部を形成することにより、噴出水に安定性を与えるようにしたことを特徴とする噴水装置である。
【００１１】
本発明は、導水管を流れる流水を噴出するためのノズルをケーシングに螺合することにより、該ノズルと流水を遮断・給水するための開閉弁とを着脱可能とし、これら開閉弁およびノズルを交換できるようにしたことにより、簡便に演出の異なる噴水が実現でき、変化のある種々の噴水を観賞できるようにしたことを特徴とする噴水装置である。
【００１２】
本発明は、導水管を分岐して形成したバイパス流路内に上記羽根車を設置したことにより、流水の導水管内に羽根車など流水抵抗を増大させる余分な部品を介在させないようにしたことを特徴とする噴水装置である。
【発明の効果】
【００１３】
請求項１〜３の本発明によれば、開閉弁には複数の連通孔を設け、ノズルにはその表面に複数の吐出口を設け、底面には通水孔が設けられ、これら吐出口と通水孔とは連結孔で連通し、該吐出口より流水を噴出するようにし、ノズルの吐出口に通じる通水孔を開閉弁により開閉し、流水を給水あるいは遮断するようにしたものであり、該開閉弁の回動により、上記ノズル底面に形成した通水孔と開閉弁に開設した連通孔とが互いに合致したときに、流水をノズルの吐出口へ給水するようにしたので、開閉弁の回動により吐出口より噴出する流水が時間とともに変化し、一本の噴水ノズルのみで、噴出水に動的で変化のある立体的な美しい噴水が演出できるようになった。上記開閉弁に設けた連通孔のレイアウトおよびノズルに設けた吐出口のレイアウトにより、噴出水の形状・噴出時間・動きなどの異なる噴水が実現でき、より変化に富む立体的な美しい噴水が演出できるようになった。
また、開閉弁は比較的ゆっくり回動しているため、ノズル底面に設けた通水孔を徐々に開いて全開し、そして徐々に閉じられるため、通水孔を通過する流水は、徐々に増量し徐々に減量されることになり、噴出水に趣のある雰囲気をかもし出すものである。
【００１４】
そして、開閉弁を回動するための駆動機構を、水の流れを利用して羽根車を回転させ、該羽根車の回転数を遊星歯車により大きく減速して回転力にトルクをもたせ、確実に開閉弁を回動するようにしているので、ポンプ・電動機・モーター等の外部よりの動力を全く必要とすることなく、水が流れているところであれば、どこであっても、いつまでも美しい躍動美あふれる噴水風景を提供することができるようになった。しかも、流水の流路には流水抵抗を増大させるものが存在しないので、噴出効率が著しく向上した。
そして、流水の運動エネルギーを利用して回転エネルギーに変換する構造にしているので、ポンプ・電動機・モーター等の外部よりの動力を全く必要としないので、これらに起因する故障がなく、従って補修の必要がなく、省エネルギー対策としての効果もあり、地球温暖化防止のためのＥＣＯ効果も大きい。
また、他の実施例として開閉弁の駆動機構をパルスモーターやステッピングモーターなどの原動機を装備して、開閉弁を回動するようにしているので、該開閉弁の回動速度を自由に制御することが可能であり、より安定した噴出水の演出が可能になると共に、噴出水に緩急をつけることにより、非常に変化のある演出が可能となる。
【００１５】
請求項４の発明によれば、通水孔と吐出口を連結する連通孔の中ほどに、貯留部を形成したことにより、噴出水の水量を充分確保できると共に、噴出水の安定性を著しく向上させることができた。
【００１６】
請求項５の発明によれば、ノズルは螺合によりケーシングに着脱可能としているので、これらノズルおよび開閉弁の着脱を容易に行うことができる。そのため、通水孔の位置・形状の異なる開閉弁および吐出口の位置・形状の異なるノズルをそれぞれ複数準備し、該開閉弁およびノズルを適宜組み合わせて交換することにより、噴出水の形状・噴出時間・動きなどを容易に変えることができ、より変化に富む立体的な美しい噴水を演出できるようになった。このように、開閉弁およびノズルの組合せを定期的に交換すれば、簡単に演出の異なる美しい噴水を提供することができ、観者に飽きさせることがなく、いつまでも新鮮な気持ちで噴水を観賞できるようになった。
また、本発明によれば、ノズル自体を噴水装置のケーシングに螺合あるいは嵌合により固着しているので、確実に液蜜にすることができ、間隙部や摺動部からの漏水を防止することができると共に、ノズルの着脱が容易であり、水垢除去などの分解清掃やノズルの清掃のメンテナンス作業を簡便に、しかも非常に容易に行うことができる。
【００１７】
請求項６の発明によれば、羽根車は導水管を分岐して形成したバイパス流路内に設置しているので、噴水のための流水に全く抵抗が発生することなく、噴出水の安定性を著しく向上させることができるようになった。
【発明を実施するための最良の形態】
【００１８】
本発明による噴水装置の最良の形態について図面により詳細に説明する。
図１は本発明による噴水装置の最良の形態を示す分解断面側面図である。同図において、１は噴水装置で、該噴水装置１は、動力を得るための羽根車からなる駆動機構２，該駆動機構２の回転数を減速するための遊星歯車による減速機３，流水を遮断・給水するための開閉弁４および流水を噴出するためのノズル５より構成されている。
駆動機構２は、噴水装置１のケーシング６の筒状部６ｂに回動自在に介装され、該ケーシング６は水源より流れる流水７の導水管８内に介装され、締付バンド９により該導水管８に固着されることにより、導水管８としての機能も果たすものである。
また、駆動機構２は、鉄やステンレス鋼等の板状部材を捻ることにより、また鋳造により、あるいは合成樹脂により一体的に螺旋状に形成され、流水７の流れにより回転可能であり、この回転力が動力の源となるものである。即ち、該駆動機構２が回転することにより、流水７の運動エネルギーを吸収して、後述する開閉弁４の回動のための回転エネルギーに変換するものである。駆動機構２の回転数は，当該捻り羽根の径，傾斜角等に依存するため一概に規定することができるものではない。
【００１９】
減速機３は、遊星歯車による減速機であり、上記駆動機構２は該遊星歯車の中心に位置する太陽ギヤ３ａの回転軸と同軸上に固定されている。該太陽ギヤ３ａの軸心部は、流水７が自由に流れることができるように空隙Ｓが設けられている。そして、遊星ギヤ３ｂは、太陽ギヤ３ａに複数個噛み合わさっていると共に、ケーシング６（６ａ）の内周壁に一体形成された外輪ギヤ３ｃに噛み合わされている。また、複数個の遊星ギヤ３ｂは、キャリア１０により一体的に、且つ個々の遊星ギヤ３ｂが回動可能に連結されている。該遊星歯車による減速機３の作用により、駆動機構２の回転数が大きく減速され回転力にトルクをもたせ、遊星ギヤ３ｂに伝達されることになる。
上記太陽ギヤ３ａ，遊星ギヤ３ｂおよび外輪ギヤ３ｃからなる遊星歯車による減速機３は、前記ケーシング６のギヤボックス６ａに収納されており、該外輪ギヤ３ｃは、ケーシング６のギヤボックス６ａの内周壁に一体的に形成されている。また、本実施例では太陽ギヤ３ａの外径を駆動機構２の外径よりやゝ大きめにしているが、これは流水７を流れやすくするために空隙Ｓを確保するためであるが、これに特定するものではなく、該太陽ギヤ３ａの外径を小さくし、歯数を少なくすれば、減速比を高めることができることは言うまでもない。それに、上記駆動機構２の回転軸と太陽ギヤ３ａの回転軸とが同軸に軸支できるので、導水管８中で生じる抵抗を極力抑えることができる。
【００２０】
上記開閉弁４は、ビス，ボルトなどの締付具１１により、遊星歯車の遊星ギヤ３ｂを連結するキャリア１０に回動可能に固着されており、上記減速機３と後述するノズル５との間に、且つ該ノズル５に当接して摺動自在に取着けられている。このように構成することにより、導水管８内を流水７が流れると、駆動機構２が回転し、この回転数が遊星歯車による減速機３により大きく減速され、遊星ギヤ３ｂおよびキャリア１０を介して開閉弁４を確実に回動させる。
例えば、駆動機構２が図１下方より見て時計回りの右回転をすると、太陽ギヤ３ａが該駆動機構２と一体的に同軸上に軸支されているため、太陽ギヤ３ａは同様に右回転し、該太陽ギヤ３ａに噛合する遊星ギヤ３ｂは、反時計回りに自転しながら外輪ギヤ３ｃ上を転動し、太陽ギヤ３ａと同方向に回動する。該外輪ギヤ３ｃは固定されているので、キャリア１０を介して遊星ギヤ３ｂに回動可能に取着されている開閉弁４は、同じく時計回りの右回転することになる。
該開閉弁４には、複数の連通孔１２，１２ａ，１２ｂ，・・が開設され、導水管８を流れてきた流水７が、該連通孔１２，１２ａ，１２ｂ，・・を通過して、同図中矢印で示すようにノズル５の通水孔５１，５１ａ，５１ｂ，・・に流れ込み、連結孔５２，５２ａ，５２ｂ，・・を通過して、吐出口５３，５３ａ，５３ｂ，・・より噴出される。
同図中符号１３は止水栓で、該止水栓１３を開くことにより導水管８へ流水７の供給を行い、閉じることにより導水管８へ流水７の供給を止めることができるものである。
【００２１】
上記ノズル５は、本実施例の場合、略半球状に形成されており、上記ケーシング６の外周縁６ｃに螺着されている。該ノズル５の底面には凹部１４が形成され、該凹部１４内には上記開閉弁４が収納されると共に、ノズル５の底面には通水孔５１，５１ａ，５１ｂ，５１ｃが設けられ、その表面には吐出口５３，５３ａ，５３ｂ，５３ｃが形成されている。また、該ノズル５内部には連結孔５２，５２ａ，５２ｂ，５２ｃが形成されており、該連結孔５２，５２ａ，５２ｂ，５２ｃにより上記通水孔５１，５１ａ，５１ｂ，５１ｃとそれぞれに対応する吐出口５３，５３ａ，５３ｂ，５３ｃとが連通されている。上記開閉弁４がノズル５の底面に当接し摺動して回動することにより、該ノズル５の底面に設けた通水孔５１，５１ａ，５１ｂ，５１ｃのいずれかと上記開閉弁４に開設した連通孔１２，１２ａ，１２ｂ，１２ｃのいずれかとが互いに合致したときに、流水７は合致した連通孔１２，１２ａ，１２ｂ，１２ｃから通水孔５１，５１ａ，５１ｂ，５１ｃに流れ、更に連結孔５２，５２ａ，５２ｂ，５２ｃを通って、それぞれに対応する吐出口５３，５３ａ，５３ｂ，５３ｃより噴出され、噴水を形成するものである。
なお、本実施例では、開閉弁４をキャリア１０に締付具１１により取着したものを示したが、開閉弁４を直接遊星ギヤ３ｂに回動自在に直接取着しても良いことは言うまでもない。
【００２２】
上記ケーシング６は、ギヤボックス６ａと筒状部６ｂからなっており、ギヤボックス６ａには前記遊星歯車にて構成される減速機３が収納され、筒状部６ｂには上記駆動機構２が回動自在に介装されている。また、ギヤボックス６ａの内周壁にはギヤが設けられ、上記遊星歯車の外輪ギヤ３ｃの機能を果たすものである。これらギヤボックス６ａと筒状部６ｂとは、図１に示すように互いに螺合して形成しても良いし、一体的に形成しても良いことは言うまでもない。
上記した駆動機構２のケーシング６への取着のために必要な軸受・シールなどの細部構造については、通常の周知技術による装備がなされているが、これら全てを記載すると複雑になるので、詳細な説明並びに図面への記載については省略する。
【００２３】
次に、開閉弁４とノズル５との関係について、図面により詳細に説明する。
図２は、図１中Ｘ−Ｘ線における噴水装置１の断面平面説明図で、理解をしやすくするために開閉弁４とノズル５のみを示しており、開閉弁４は点線で示し、ノズル５は実線で示す。同図中図１と同じ符号のものは同一物を示し、詳細な説明は省略する。
同図に示すように、通水孔５１はノズル５の中心に設けられ、順次外方へ通水孔５１ａ〜５１ｃが中央の通水孔５１を中心にして左右対称に一直線上に設けられている。これに対し、開閉弁４には、上記ノズル５の通水孔５１と同じく中心に連通孔１２が、そして該通水孔５１ａ〜５１ｃに対向して四方へ十字状に連通孔１２ａ〜１２ｃが設けられている。このように構成することにより、中心に設けられた通水孔５１と連通孔１２は常時合致しているが、開閉弁４が同図中矢印の方向に回動することにより、通水孔５１ａと連通孔１２ａ，通水孔５１ｂと連通孔１２ｂ，通水孔５１ｃと連通孔１２ｃが合致すると、導水管８を流れる流水７は、連通孔１２，１２ａ，１２ｂ，１２ｃおよび通水孔５１，５１ａ，５１ｂ，５１ｃを流れ、図１に示す連結孔５２，５２ａ，５２ｂ，５２ｃを通過して、それぞれに対応する吐出口５３，５３ａ，５３ｂ，５３ｃより噴出することになる。
【００２４】
更に、開閉弁４が同図中矢印の方向に回動すると、通水孔５１のみが常時開かれているが、通水孔５１ａ，５１ｂ，５１ｃは閉じられ、流水７は連通孔１２，通水孔５１および連結孔５２を通過して吐出口５３のみから勢い良く噴出される。そして、開閉弁４が更に回動し、通水孔５１ａと連通孔１２ａ，通水孔５１ｂと連通孔１２ｂ，通水孔５１ｃと連通孔１２ｃが合致すると、導水管８を流れる流水７は、吐出口５３は勿論のこと、それぞれに対応する通水孔５１ａ〜５１ｃ，連結孔５２ａ〜５２ｃを通過して、吐出口５３ａ〜５３ｃからも噴出することになる。この場合、該流水７が定量であるため、吐出口５３ａ〜５３ｃから噴出される水量分が減るので、吐出口５３からの噴出量は減少することになる。このようにして、吐出口５３からの噴出水は高くなったり低くなったりすると共に、吐出口５３ａ，吐出口５３ｂ，吐出口５３ｃからは開閉弁４が９０度回動する毎に断続的に噴出される。
なお、本実施例では、連通孔１２ａ，１２ｂ，１２ｃの大きさを略同じにしているが、この場合、開閉弁４の回転角の関係で、同時に合致することなく、連通孔１２ａが合致してから、少しの時間差で連通孔１２ｂ、そして連通孔１２ｃと合致することになる。従って、噴出水にも時間差が生じることになり、噴水の挙動により変化のある演出を提供できるものである。不一致になる場合も同様である。また、該連通孔１２ａ，１２ｂ，１２ｃの大きさを順次大きくして、連通孔１２ｂ，連通孔１２ｃと外方へいくに従って大きな扇形にすると、連通孔１２ａ〜１２ｃと通水孔５１ａ〜５１ｃとはそれぞれ同時に合致することになり、吐出口５３ａ〜５３ｃから同時に噴出されることは言うまでもない。
【００２５】
上記のように、連通孔１２，１２ａ，１２ｂ，１２ｃと通水孔５１，５１ａ、５１ｂ，５１ｃとは、いずれかが合致するように設計し、吐出口５３，５３ａ，５３ｂ，５３ｃのいずれかから流水７が噴出するようにして、導水管８内の水圧が異常に高まらないようにすることが望ましい。
また、図２に記載の符号１１は締付具で、該締付具１１は４ヶ所設けられており、遊星ギヤ３ｂが４個回動自在に締結されていることを示している。この遊星ギヤ３ｂの数は、特定するものではない。以下の実施例においても同じである。
また、上記開閉弁４の取り付けについては、本実施例では締付具１１にて締付固定するように示したが、これに特定するものではなく、例えば遊星ギヤ３ｂに突起部を形成し、開閉弁４に凹部を形成することにより、これらを嵌合して固定するようにしても良い。
【００２６】
図３は噴水の状態を示す概略側面図で、上記開閉弁４の回動による噴水の変化を示したものである。図１では連結孔５２ｂ，５２ｃが少し傾斜した状態で示しているが、図３では詳細な説明の簡略化のため、連結孔５２を上方に向け形成したものを示している。
同図Ａは図２における状態、即ち連通孔１２，１２ａ，１２ｂ，１２ｃと通水孔５１，５１ａ，５１ｂ，５１ｃがそれぞれ合致した状態の噴水を示したもので、吐出口５３からの噴出水は低く、左右各３つの吐出口５３ａ〜５３ｃから小さな噴出水が形成される。同図Ｂは開閉弁４が回動し、通水孔５１ａ，５１ｂ，５１ｃを閉じた状態の噴水を示すもので、吐出口５３ａ，５３ｂ，５３ｃからは噴出されず、中央の吐出口５３のみからの噴出となる。この場合、流水７は定量であるため噴出水が高く噴出される。このように、開閉弁４の回動により、同図Ａおよび同図Ｂを繰り返し、噴水の形状を変化させるものである。
【００２７】
なお、吐出口５３ａ，吐出口５３ｂ，吐出口５３ｃの形状を図１に示すように、出口付近を押しつぶしたような断面扇形にしておくと、これらの吐出口５３，５３ａ，５３ｂ，５３ｃがあたかもお互いが繋がっているように、噴出水は全体的に扇状に噴出される。しかも、吐出口５３，５３ａ，５３ｂ，５３ｃがお互いに干渉し合い、孔雀が羽を広げたような形状で観賞することができる。図示しないが、該吐出口５３，５３ａ，５３ｂ，５３ｃが一般的な筒状のノズル形状であれば、図３Ａに示すような７本の線状の噴出水を観賞することができることは言うまでもない。
【実施例１】
【００２８】
図４は、本発明による噴水装置の他の実施例を示す分解断面側面図である。同図中図１に示した符号と同じものは、同一物を示し詳細な説明を省略する。同図において、本実施例は、前記駆動機構２を圧縮機のようなタービン構造にしたものである。該駆動機構２は、動翼２１と静翼２２とで構成され、動翼２１は遊星歯車より構成される減速機３の太陽ギヤ３ａに同軸上で回動可能に結合されており、静翼２２はケーシング６（６ｂ）に固着されている。これら動翼２１と静翼２２は、ガスタービンや蒸気タービンのブレードのようにお互いに対向して傾斜させて交互に形成されており、流水７の流れを動翼２１に向かうように変化させ、動翼２１がより確実に回転するようにしたものである。即ち、静翼２２は、流水７の流れが動翼２１へ向かうように流れを変え、動翼２１に流水７が効率良く当たるように傾斜されている。
本実施例の場合、図面の関係で動翼２１を２段、静翼２２を３段しか設けていないが、これらの段数は、本実施例に特定するものではなく、段数が多ければ多い程、回転エネルギーへの変換効率が高まることは言うまでもない。この回転数が遊星歯車よりなる減速機３により大きく減速され、遊星ギヤ３ｂに回動可能に固着された開閉弁４を回転させるものである。
その後の挙動については、前記した最良の形態で説明したものと同様に、回転数が減速機３により大きく減速され、開閉弁４がノズル５に当接してゆっくりと摺動しながら回動され、通水孔５１を開閉することにより噴出水を給水したり遮断したりすることにより、噴水の形状を変化させるものである。その挙動の詳細な説明は、省略する。
【実施例２】
【００２９】
図５は、本発明による噴水装置の他の実施例を示すもので、同図Ａはその要部断面側面図、同図Ｂは要部のみを示す平面図である。同図中図１に示した符号と同じものは、同一物を示し詳細な説明を省略する。
上記最良の形態および実施例においては、駆動機構２を流水７の導水管８中に設置したものを示したが、本実施例は該流水７の導水管８を分岐して駆動機構２を駆動するための専用のバイパス流路１６を設けたものである。該バイパス流路１６は、導水管８の途中より分岐され、該導水管８を取り巻くように配置され、再び導水管８に流れ込むように設けられている。該バイパス流路１６の途中には、水車よりなる駆動機構２が水平に設置されており、該駆動機構２の回転は複数の歯車の組み合わせからなる減速機３により減速され、開閉弁４を回動させるものである。
同図中符号１８が伝動ギヤで、該伝動ギヤ１８は、開閉弁４の外側縁に形成されたギヤに噛合されており、減速機３で減速された回転を開閉弁４に伝動し、該開閉弁４を回動するものである。
このように駆動機構２を収納する専用のバイパス流路を設けることにより、導水管８中には流水抵抗を増大させる羽根車などの余分な部品が全く存在しないので、噴出水にスムースな挙動が可能であり、噴出効率はより効果的であることは言うまでもない。
なお、同図では図面が複雑になるので、減速機３のカバーは図示していない。また、バイパス流路１６は、導水管８より分岐して再び導水管８に戻るようにした実施例を示したが、外部に放出するようにしても良いことは言うまでもない。
【実施例３】
【００３０】
図６は、本発明による噴水装置の他の実施例を示すもので、同図Ａはその分解断面側面図、同図Ｂは同図Ａ中Ｙ−Ｙ線における断面平面説明図で、同図Ｂは理解をしやすくするために開閉弁４と伝動ギヤ１８との噛合状態を示している。同図中図１に示した符号と同じものは、同一物を示し詳細な説明を省略する。
上記実施例においては、流水７の導水管８中に駆動機構２を設置し、流水の運動エネルギーを回転エネルギーに変換するものを示したが、本実施例は、ケーシング６に原動機ボックス１９を形成し、該原動機ボックス１９内にパルスモーターやステッピングモーターなどの原動機１７からなる駆動機構２を内臓し、該駆動機構２に一体的に結合した伝動ギヤ１８により開閉弁４を回動するものである。伝動ギヤ１８は開閉弁４の内側壁に形成した内歯ギヤに噛合している。また、該伝動ギヤ１８と駆動機構２との結合は、一方に凹部を形成し、他方に凸部を形成することにより、これらを合致させることにより結合・伝動する。本実施例の場合、同図Ａに示すように、伝動ギヤ１８側を凸部にし、駆動機構２側を凹部にしたものを示している。このように形成することにより、駆動機構２を差し込むようにして設置することにより容易に合致することができる。
【００３１】
なお、本実施例では、伝動ギヤ１８は開閉弁４の内歯ギヤに噛合している実施例を示したが、該伝動ギヤと開閉弁４との噛合は、本実施例のように開閉弁の内側に形成した内歯ギヤであっても良いし、図５に示すように開閉弁４の外周縁に歯車（「外歯ギヤ」と称す）を形成することにより、該外歯ギヤと噛合せても良い。また、図示しないが、断面コの字状の開閉弁４の端面に歯車を形成し、モーターを水平方向より差し込み、該歯車に噛み合わせるようにしても良い。
また、駆動機構２と伝動ギヤ１８との間に遊星歯車などの減速機を介装すれば、よりトルクが増し、伝動力がより一層確実に行うことができると共に、回転速度の制御がより簡便に行うことが可能となる。
また、同図Ｂに示すように、回転が自由なアイドルギヤ２０を噛合させれば、開閉弁４の回動をよりスムースに行わせることができる。
そして、開閉弁４の連通孔１２およびノズル５の吐出口５３の同じノズル５を同じ方向・同じ角度に複数本設置し、これらの開閉弁４の回動を同調させれば、より複雑で、よりダイナミックな演出が可能となる。
【実施例４】
【００３２】
図７は、本発明による噴水装置の開閉弁４およびノズル５との関係を示す他の実施例の断面平面説明図である。同図中図１および図２に示した符号と同じものは、同一物を示し詳細な説明を省略する。また、図面の作成要領については、図２と同じく開閉弁４とノズル５のみを示しており、開閉弁４は点線で示し、ノズル５は実線で示す。以下の実施例についても同じである。
本実施例によるノズル５の通水孔５１は、最良の形態では左右に直線状に形成したものであるのに対し、渦巻状に形成したものである。本実施例では片側８個の合計１６個の通水孔５１，５１ａ〜５１ｈを形成している。また、開閉弁４には、通水孔５１，５１ａ〜５１ｈの数に対向してそれぞれ連通孔１２を十字状に設けている。この場合、通水孔５１，５１ａ〜５１ｈは左右対称に設けているので、常に左右対称に噴出されるとともに、開閉弁４が一回転する間に吐出口５３，５３ａ〜５３ｈより４回噴出されることになる。しかも、通水孔５１，５１ａ〜５１ｈは渦巻状に形成しているので、通水孔５１ａと連通孔１２ａが合致してから多少の時間が経過して、通水孔５１ａと連通孔１２ａが不一致となり通水孔５１ａが閉じられると共に、通水孔５１ｂと連通孔１２ｂが合致し、更に、通水孔５１ｂと連通孔１２ｂが合致してから多少の時間が経過して、通水孔５１ｂと連通孔１２ｂが不一致となり通水孔５１ｂ閉じられると共に、通水孔５１ｃと連通孔１２ｃが合致する。このように順次時間差をもちながら、通水孔５１ａと連通孔１２ａの合致から通水孔５１ｈと連通孔１２ｈの合致まで、噴出水は徐々に外方に広がるように移動していくことになる。
本実施例の場合、開閉弁４の回動に伴い、上記実施例と同様に、流水７は吐出口５３から常時噴出されると共に、通水孔５１，５１ａ〜５１ｈおよび連結孔５２，５２ａ〜５２ｈ（不図示）を通って、それぞれに対応する吐出口５３ａ〜５３ｈから、開閉弁４が９０度回動する毎に断続的に噴出される。また、吐出口５３からの噴出水が、高くなったり低くなったりすることは最良の形態や上記実施例と同様である。
【実施例５】
【００３３】
図８は、本発明による噴水装置の開閉弁４およびノズル５との関係を示す他の実施例の断面平面説明図で、図７の開閉弁４がノズル５の通水孔５１に対向する連通孔１２を個々に設けたのに対し、本実施例では長方形の大きな連通孔１２を十字状に設けたものを示すものである。同図中図１および図２に示した符号と同じものは、同一物を示し詳細な説明を省略する。
本実施例は、図７に示す実施例の８個の連通孔１２を一つにまとめたもので、基本的には図７の上記実施例と変わりない挙動の噴水が観賞できる。即ち、通水孔５１ａと連通孔１２ａが合致してから多少の時間が経過して、通水孔５１ａと連通孔１２ａが不一致となって閉じられると共に通水孔５１ｂと連通孔１２ｂが合致し、更に、通水孔５１ｂと連通孔１２ｂが合致してから多少の時間が経過して、通水孔５１ｂと連通孔１２ｂが不一致となって閉じられると共に通水孔５１ｃと連通孔１２ｃが合致する。このように順次時間差をもちながら、通水孔５１ａと連通孔１２ａの合致から通水孔５１ｈと連通孔１２ｈの合致まで、噴出水は徐々に外方に広がるように移動していくことになる。また、吐出口５３，５３ａ〜５３ｈからの噴出水は、上記実施例と同様であり詳細な説明は省略する。
【実施例６】
【００３４】
図９は、本発明による噴水装置の開閉弁４およびノズル５との関係を示す他の実施例の断面平面説明図である。同図中図１および図２に示した符号と同じものは、同一物を示し詳細な説明を省略する。
本実施例による連通孔１２，１２ａ〜１２ｈは、図７および図８の開閉弁４が２対の連通孔１２を設けたのに対して、１対にすると共に、個々のノズル５の通水孔５１に対向するそれぞれの連通孔１２を弧状に長く設けたものである。従って、基本的には図７および図８の上記実施例と同じような挙動の噴水が観賞できるが、個々の吐出口５３，５３ａ〜５３ｈ（不図示）からの噴出水は、図７および図８の実施例の場合、開閉弁４が一回転する間に４回噴出するのに対し、本実施例の場合は２回の噴出となる。そして、このように連通孔１２を長く設けることにより、当然吐出口５３より噴出する時間が延びるとともに、吐出口５３は渦巻状に形成しているので、開閉弁４の回動に伴い、噴出水は複数の吐出口５３より噴出しながら徐々にユッタリと外方に広がるように移動していくことになる。
【実施例７】
【００３５】
図１０は、本発明による噴水装置の開閉弁４およびノズル５との関係を示す他の実施例の断面平面説明図である。同図中図１および図２に示した符号と同じものは、同一物を示し詳細な説明を省略する。
本実施例は、ノズル５に同一円周上で中心部に各２つの通水孔５１ａ，５１ｂおよび外周部に各４つの通水孔５１ｃ，５１ｄをそれぞれ設け、これらノズル５の通水孔５１ａ，５１ｂに対向してそれぞれ各２つの扇形の連通孔１２ａ，１２ｂを、通水孔５１ｃ，５１ｄに対向してそれぞれ各４つの扇形の連通孔１２ｃ，１２ｄを、それぞれ角度を少しづつずらせておおむね螺旋状に設けたものである。
従って、本実施例の場合、同図では全ての通水孔５１ａ〜５１ｄは合致しており、合計１２ヶ所の吐出口５３から噴出される。そして、同図中矢印で示すように開閉弁４が９０度回動すると、ノズル５の中心部に設けた通水孔５１ａ，５１ｂは不一致となり、通水孔５１ｃ，５１ｄのみが合致するので、該通水孔５１ｃ，５１ｄの各４ヶ所合計８ヶ所の吐出口５３から流水７が噴出されることになる。更に、開閉弁４が９０度回動すると、同図の状態になるので、合計１２ヶ所の吐出口５３から噴出される。このようにして、通水孔５１ａ，５１ｂは１８０度毎に合致し、通水孔５１ｃ，５１ｄは９０度毎に合致するものであり、非常に複雑な噴出水の形状を観賞することができる。
なお、本実施例の通水孔５１ａ，５１ｂ，５１ｃ，５１ｄは、おおむね対照に螺旋状に設けたものであるが、図２のように、一直線上に設けると、全く異なる噴水を演出することができることは言うまでもなく、種々の組み合わせが容易に考えられるものである。
【実施例８】
【００３６】
図１１および図１２は、本発明による噴水装置の開閉弁４およびノズル５との関係を示す他の実施例で、図１１はその断面平面説明図、図１２は本実施例による噴水装置の側面説明図である。同図中図１および図２に示した符号と同じものは、同一物を示し詳細な説明を省略する。
上記最良の形態および実施例１〜７ではノズル５の吐出口５３の形状が筒状のものを示したが、本実施例は吐出口５３（５３ａ〜５３ｃ）をリング状に形成したものである。各ノズル５の底面には、図１１に示すようにそれぞれ通水孔５１ａ〜５１ｃが吐出口５３に対しそれぞれ４個設けられており、連結孔５２により連結されている。同図に示すように、開閉弁４の連通孔１２は、図８の実施例と同様に長穴に形成されており、通水孔５１は常に２つの連通孔１２に繋がるようにしている。このように形成することにより、リング状のノズル５に充分な流水が供給され、綺麗なリング状の噴水が得られるようにしたものである。
また、通水孔５１と吐出口５３を連結する連結孔５２の中ほどには、図１２に示すように貯留部１５をそれぞれ通水孔５１と吐出口５３に対応してドーナツ状に形成しており、該貯留部１５により吐出口５３よりの噴出水を均一に噴出できるよう調整するものである。
【００３７】
本実施例の場合、図１１に示すように開閉弁４が回動することにより、連通孔１２が最外周の吐出口５３ｃの通水孔５１ｃに合致していたのが、徐々に内周の通水孔５１ｂ、更に通水孔５１ａへと移り、図１２に示すように、二点鎖線の低いリング状の噴水から、一点鎖線および実線で示す噴水へと変化するものである。なお、同図では図面が複雑になるので、噴水は断面側面図で示している。
なお、本実施例では、１つの吐出口５３に対し連通孔１２を複数個設けているが、勿論１個でも良いことは言うまでもない。
【実施例９】
【００３８】
図１３は、本発明による噴水装置の開閉弁４およびノズル５との関係を示す他の実施例の断面平面説明図で、同図Ａはノズル５のみを示す斜視図、同図Ｂはその平面図、同図Ｃは開閉弁４のみを示す斜視図である。同図中図１および図２に示した符号と同じものは、同一物を示し詳細な説明を省略する。
前記実施例では開閉弁４が平板状のものを示したが、本実施例は半球で王冠状の立体的な開閉弁４を示すものである。
同図示のとおり、ノズル５は前記最良の形態と同様に半球状であるが、通水孔５１と連結孔５２および吐出口５３を近接させたもので、同図Ａのノズル５を同図Ｃの開閉弁４に被せるようにして組み立てられるものである。本実施例の開閉弁４は、中空で傘の骨のように放射状に形成され椀状にしたもので、底部は図示しないが、前記遊星歯車の遊星ギヤ３ｂあるいはパルスモーターやステッピングモーターなどの原動機により回動可能に連結されている。
そして、本実施例の場合、吐出口５３は同図Ｂに示すように、螺旋状に４列形成されており、開閉弁４が同図Ｃ中矢印で示すように回動すると、吐出口５３は常時開かれているが、吐出口５３ａ，５３ｂ，５３ｃ，・・・，５３ｇの順に閉じられることになる。また、開閉弁４は放射状に形成されているため、吐出口５３ａ〜５３ｇのいずれかが開閉され、予期しない複雑な噴水が形成されることになる。しかも、吐出口５３は螺旋状に４列形成されているので、開閉弁４の回動に伴い、噴出水は４ヶ所の吐出口５３より噴出しながら徐々に外方に広がるように移動していくことになり、より複雑な景観を観賞できることになる。
なお、本実施例では、開閉弁４とノズル５の曲率半径を略同じにして図示しているので、通水孔５１と吐出口５３が近接し、連結孔５２がないように見えるが、開閉弁４の曲率半径を大きくすれば、連結孔５２を形成することができ、安定した噴出水を噴出することができる。
また、本実施例において、開閉弁４をノズル５内壁に沿って螺旋状に形成すれば、より変化のある噴水が形成される。
【００３９】
図１４はノズル５の吐出口５３の形状についての詳細断面図である。同図に示すように、ノズル５の吐出口５３は通水孔５１より徐々に直径を小さくし、該吐出口５３部分で直線状に形成している。吐出口５３の直線部の長さＬ１は、該吐出口５３の直径とほぼ同じ位が望ましい。また、通水孔５１の入口から直線部までの長さＬ２については、徐々に直径を小さくし円錐状に形成することが望ましい。いわゆる、流水が進むにつれて直径が小さくなっていくコンバージェント・ノズルが望ましい。
このノズル５の断面形状については、上記した最良の形態を含めた全ての実施例に適用できることは言うまでもない。
【００４０】
上記に説明した実施例は極一部であり、ノズル５の吐出口５３の位置・形状と開閉弁４の連通孔１２の位置・形状との組み合わせは、無限に考えられる。前記実施例でも説明したように、一種のノズル５の吐出口５３の形状に対し複数の開閉弁４が考えられ、これら導水管を流れる流水を遮断・給水するための開閉弁４と該流水を噴出するためのノズル５を交換することにより、噴出水の形状・噴出時間・動きなどを変えることができ、より美しい噴水の演出が可能であると共に、異なる噴水の挙動が得られることになる。また、逆に一種の開閉弁４の形状に対し複数のノズル５の吐出口５３が考えられ、同様にして噴出水の形状・噴出時間・動きなどを変えることができる。これら開閉弁４とノズル５は、螺合により取着されているので、取付交換は容易である。それに、上記開閉弁の回動方向を逆転させれば、全く異なる噴出水の動きを生じさせることができる。
また、実施例８で示したリング状のノズル５は、円形に特定するものではなく、三角形，四角形，五角形などの多角形状であっても良く、このような多角形の形状にすることにより、従来の常識を破る噴水を提供することができるものである。また、吐出口５３の形状をハート形，星形，魚形など、冠婚葬祭などの種々のイベントに即した形状にすれば、より適した演出効果を上げることができる。
同様にして、前記実施例ではノズル５が半球状のもので説明したが、該ノズル５を実施例２や実施例３のような円柱あるいは三角柱，四角柱などの多角柱で形成しても良く、またこのような多角柱のノズル５の吐出口５３に傾斜をつけることにより、大きく拡がる噴水を提供することができるものである。
【００４１】
この組み合わせは本発明による思想と同じくするものであれば、いずれでも良く、前記した実施例に特定するものではない。このように吐出口５３の位置・形状が異なるノズル５と連通孔１２の位置・形状が異なる開閉弁４の組み合わせを交換することにより、種々の噴水形状を現出することができることは、説明するまでもないことである。
そして、ノズル自体を噴水装置のケーシングに螺合により固着し、これらの内部に減速機などを収納しているので、確実に液密にすることができ、間隙部や摺動部からの漏水を防止することができると共に、ノズルの着脱が容易であり、水垢除去などの分解清掃を簡便に行うことができる。
なお、上記貯留部１５は実施例８についてのみ説明したが、前記した他の実施例にも適用できることは言うまでもない。
【図面の簡単な説明】
【００４２】
【図１】本発明による噴水装置の最良の形態を示す分解断面側面図である。
【図２】本発明による噴水装置の図１中Ｘ−Ｘ線における断面平面説明図である。
【図３】本発明の噴水装置による噴水の状態を示す概略側面図で、同図Ａは連通孔と通水孔が合致した状態の噴水を示し、同図Ｂは開閉弁が回動し、通水孔が閉じた状態の噴水を示すものである。
【図４】本発明による噴水装置の第一実施例を示す分解断面側面図である。
【図５】本発明による噴水装置の第二実施例を示すもので、同図Ａはその要部断面側面図、同図Ｂは要部のみを示す平面図である。
【図６】本発明による噴水装置の第三実施例を示すもので、同図Ａは分解断面側面図、同図Ｂは同図Ａ中Ｙ−Ｙ線における要部のみを示す断面平面説明図である。
【図７】本発明による噴水装置の開閉弁およびノズルのみを示す第四実施例を示す断面平面説明図である。
【図８】本発明による噴水装置の開閉弁およびノズルのみを示す第五実施例を示す断面平面説明図である。
【図９】本発明による噴水装置の開閉弁およびノズルのみを示す第六実施例を示す断面平面説明図である。
【図１０】本発明による噴水装置の開閉弁およびノズルのみを示す第七実施例を示す断面平面説明図である。
【図１１】本発明による噴水装置の開閉弁およびノズルのみを示す第八実施例を示す断面平面説明図である。
【図１２】本発明による噴水装置の図１１の側面説明図である。
【図１３】本発明による噴水装置の開閉弁およびノズルの第九実施例を示す側面説明図で、同図Ａはノズルのみを示す斜視図、同図Ｂはその平面図、同図Ｃは開閉弁を示す斜視図である。
【図１４】本発明によるノズルの吐出口の形状を示す詳細断面図である。
【符号の説明】
【００４３】
１    噴水装置
２    駆動機構
３    減速機
４    開閉弁
５    ノズル
５１  通水孔
５２  連結孔
５３  吐出口
６    ケーシング
７    流水
８    導水管
１１    締付具
１２    連通孔
１５    貯留部
１６    バイパス流路
【図３】
2010023015.tif 000003
【図６】
2010023015.tif 000004
【図１】
2010023015.tif 000005
【図２】
2010023015.tif 000006
【図４】
2010023015.tif 000007
【図５】
2010023015.tif 000008
【図７】
2010023015.tif 000009
【図８】
2010023015.tif 000010
【図９】
2010023015.tif 000011
【図１０】
2010023015.tif 000012
【図１１】
2010023015.tif 000013
【図１２】
2010023015.tif 000014
【図１３】
2010023015.tif 000015
【図１４】
2010023015.tif 000016
【手続補正書】
【提出日】平成21年3月3日(2009.3.3)
【手続補正１】
【補正対象書類名】特許請求の範囲
【補正対象項目名】全文
【補正方法】変更
【補正の内容】
【特許請求の範囲】
【請求項１】
ノズルよりの噴出水に変化をもたせるようにした噴水装置であって、表面には吐出口が設けられ、底面には対称に通水孔が設けられ、これら吐出口と通水孔とは連結孔で連通し、該吐出口より流水を噴出するようにしたノズルと、流水の導水管内に回動可能に設置され、上記通水孔に対向して対称に複数の連通孔を設け、導水管中を流れる流水を遮断・給水する開閉弁および該開閉弁を回動するための駆動機構とから構成され、該開閉弁と上記ノズルの底面とを当接して摺動可能に設け、該開閉弁を回動させることにより、上記ノズル底面に形成した通水孔と開閉弁に開設した連通孔とが互いに合致したときに、流水がノズルの吐出口より噴出するようにしたことを特徴とする噴水装置。
【請求項２】
上記対称の通水孔と吐出口を連結する連結孔の中ほどに、対称位置にある通水孔を互いに連通するように貯留部を形成したことを特徴とする請求項１のいずれかに記載の噴水装置。
【手続補正２】
【補正対象書類名】明細書
【補正対象項目名】全文
【補正方法】変更
【補正の内容】
【発明の詳細な説明】
【技術分野】
【０００１】
本発明は、噴水装置に関するもので、噴出水に変化のある噴水を提供することができる噴水装置に係るものである。
【背景技術】
【０００２】
通常、公園あるいは工場の片隅に設置されている噴水は、山間を流れる渓流や谷間を流れ落ちる滝と同様、我々の耳，眼を楽しませてくれて、非常に心安らぐものである。
しかし、いずれの噴水も、単に真上に噴き上げられるだけで、噴出する水に全く変化のないものが殆んどである。なかには、機械的にある周期をもって水を噴出させたり止めたりして、断続的に変化をもたせたものや、噴出水の反動を利用してノズル本体を回動したり、揺動することにより、噴出水に回転運動あるいは揺動運動をさせるようにしたものがある。
また、数十本〜数百本の噴水ノズルをコンピュータ制御して噴出水に変化をつけ、美感を誘うようにしたものがあるが、これはハイテク噴水と呼ばれる噴水で、コンピュータ制御により、ＣＤやライブによる演奏等の音楽に合わせて照明を点滅したり、噴水ポンプや給水弁の開閉を行うことにより水を遮断・給水して、あたかも噴水形状が変化しているように演出し、水のダンス，アクアアートの世界を現出させるものである。
【０００３】
このような課題に対し、本発明者が考案した種々の噴水が提案されている。例えば、実公昭５４−４７９号公報には、噴出水を断面正方形から十字状へ連続的に変化させたり、あるいは逆円錐状から円柱状へ連続的に変化させることができる噴水が提案されている。また、実公昭５４−２２４０号公報には、噴出水に扇を連続的に開閉するような変化をさせる噴水が提案されている。
更に、実公昭５７−２０２９３号公報には、上記実公昭５４−２２４０号公報に記載されたのと同様に、噴出水に扇を連続的に開閉するような変化をさせる噴水が提案されている。
【０００４】
また、特開平８−１３１９００号公報には、ノズルから水平方向に噴出する水の流れを扇形拡散板によりほぼ直角方向に拡散させ、且つ該扇形拡散板により拡散する水の扇形開角を制限設定する一対の開角板を角度変更可能に設け、扇を開閉する形状の噴水にする扇形噴水装置が提案されている。
【０００５】
【特許文献１】実公昭５４−４７９号公報
【特許文献２】実公昭５４−２２４０号公報
【特許文献３】実公昭５７−２０２９３号公報
【特許文献４】特開平８−１３１９００号公報
【発明の開示】
【発明が解決しようとする課題】
【０００６】
上記特許文献に記載された噴水装置は、確かに噴出する水に変化はあるが、いずれも噴出水を単純な繰り返しの往復運動をさせるのみであり、観者にすぐ飽きられてしまうものである。
それに、特許文献１〜３に記載された噴水装置の場合、いずれも複数の歯車とカム機構を組み合わせたもので、機械的なロスが多く、流水により得られる駆動力を無駄なく確実に伝達するのが困難である。そして、流水の流路中にカム等が介在するため、流水抵抗が大きく、また、係合部や回動する軸支部が多いため、漏水発生の可能性が高まり噴出効率が悪い。
特許文献４に記載された噴水装置の場合、扇形拡散板により拡散する水の扇形開角を制限設定する一対の開角板を角度変更可能に設け、この一対の開角板の角度を変更駆動する開角変更駆動装置が必要であり、該装置を駆動するために外部からの強力な動力が不可欠であると共に、多大の設備投資が必要である。拡散水の扇形開角を変更することは可能であるが、開角変更すると、その開角での拡散水の変化はある。しかし、単にその角度の範囲内での往復運動をするにすぎない。従って、該噴水装置も単純な往復運動をさせるのみである。
また、上記した多数のノズルを使用して躍動感のある噴水の演出を行う設備を構築する場合には、これらの装置自体は勿論であるが、噴水装置を作動させるためのコンピュータ制御装置に莫大な費用を要するものである。それに、個々のノズルは単に断続的に噴出するのみで、複数のノズルが協調して初めて噴出水に動きがあるような演出が可能となるものである。
【０００７】
本発明者らは、その後研究開発を重ね、上記種々の問題を解消したもので、ノズル自体に複数の吐出口を設け、該吐出口に連通する通水孔を開閉弁によって開閉することにより、一本のノズルのみで噴出水自体に造形的でより変化のある美しい噴水を提供することを目的とするものである。
【課題を解決するための手段】
【０００８】
本発明は、ノズルよりの噴出水に変化をもたせるようにした噴水装置であって、表面には吐出口が設けられ、底面には対称に通水孔が設けられ、これら吐出口と通水孔とは連結孔で連通し、該吐出口より流水を噴出するようにしたノズルと、流水の導水管内に回動可能に設置され、上記通水孔に対向して対称に複数の連通孔を設け、導水管中を流れる流水を遮断・給水する開閉弁および該開閉弁を回動するための駆動機構とから構成され、該開閉弁と上記ノズルの底面とを当接して摺動可能に設け、該開閉弁を回動させることにより、上記ノズル底面に形成した通水孔と開閉弁に開設した連通孔とが互いに合致したときに、ノズルの吐出口より流水を噴出するようにしたことを特徴とする噴水装置である。
【０００９】
本発明は、上記対称の通水孔と吐出口を連結する連通孔の中ほどに、対称位置にある通水孔を互いに連通するように貯留部を形成することにより、噴出水に安定性を与えるようにしたことを特徴とする噴水装置である。
【発明の効果】
【００１０】
請求項１の本発明によれば、開閉弁には複数の対称の連通孔を設け、ノズルにはその表面に複数の吐出口を設け、底面には対称に通水孔が設けられ、これら吐出口と通水孔とは連結孔で連通し、該吐出口より流水を噴出するようにし、ノズルの吐出口に通じる通水孔を開閉弁により開閉し、流水を給水あるいは遮断するようにしたものであり、該開閉弁の回動により、上記ノズル底面に形成した通水孔と開閉弁に開設した連通孔とが互いに合致したときに、流水をノズルの吐出口へ給水するようにしたので、開閉弁の回動により吐出口より噴出する流水が時間とともに変化し、一本の噴水ノズルのみで、噴出水に動的で変化のある立体的な美しい噴水が演出できるようになった。上記開閉弁に設けた連通孔のレイアウトおよびノズルに設けた吐出口のレイアウトにより、噴出水の形状・噴出時間・動きなどの異なる噴水が実現でき、より変化に富む立体的な美しい噴水が演出できるようになった。
また、開閉弁は比較的ゆっくり回動しているため、ノズル底面に設けた通水孔を徐々に開いて全開し、そして徐々に閉じられるため、通水孔を通過する流水は、徐々に増量し徐々に減量されることになり、噴出水に趣のある雰囲気をかもし出すものである。
【００１１】
そして、開閉弁を回動するための駆動機構を、水の流れを利用して羽根車を回転させ、該羽根車の回転数を遊星歯車により大きく減速して回転力にトルクをもたせ、確実に開閉弁を回動するようにしているので、ポンプ・電動機・モーター等の外部よりの動力を全く必要とすることなく、水が流れているところであれば、どこであっても、いつまでも美しい躍動美あふれる噴水風景を提供することができるようになった。しかも、流水の流路には流水抵抗を増大させるものが存在しないので、噴出効率が著しく向上した。
そして、流水の運動エネルギーを利用して回転エネルギーに変換する構造にしているので、ポンプ・電動機・モーター等の外部よりの動力を全く必要としないので、これらに起因する故障がなく、従って補修の必要がなく、省エネルギー対策としての効果もあり、地球温暖化防止のためのＥＣＯ効果も大きい。
また、他の実施例として開閉弁の駆動機構をパルスモーターやステッピングモーターなどの原動機を装備して、開閉弁を回動するようにしているので、該開閉弁の回動速度を自由に制御することが可能であり、より安定した噴出水の演出が可能になると共に、噴出水に緩急をつけることにより、非常に変化のある演出が可能となる。
【００１２】
請求項２の発明によれば、対称の通水孔と吐出口を連結する連通孔の中ほどに、対称位置にある通水孔を互いに連通するように貯留部を形成したことにより、噴出水の水量を充分確保できると共に、噴出水の安定性を著しく向上させることができた。
【００１３】
ノズルは螺合によりケーシングに着脱可能としているので、これらノズルおよび開閉弁の着脱を容易に行うことができる。そのため、通水孔の位置・形状の異なる開閉弁および吐出口の位置・形状の異なるノズルをそれぞれ複数準備し、該開閉弁およびノズルを適宜組み合わせて交換することにより、噴出水の形状・噴出時間・動きなどを容易に変えることができ、より変化に富む立体的な美しい噴水を演出できるようになった。このように、開閉弁およびノズルの組合せを定期的に交換すれば、簡単に演出の異なる美しい噴水を提供することができ、観者に飽きさせることがなく、いつまでも新鮮な気持ちで噴水を観賞できるようになった。
また、本発明によれば、ノズル自体を噴水装置のケーシングに螺合あるいは嵌合により固着しているので、確実に液蜜にすることができ、間隙部や摺動部からの漏水を防止することができると共に、ノズルの着脱が容易であり、水垢除去などの分解清掃やノズルの清掃のメンテナンス作業を簡便に、しかも非常に容易に行うことができる。
【００１４】
羽根車は導水管を分岐して形成したバイパス流路内に設置しているので、噴水のための流水に全く抵抗が発生することなく、噴出水の安定性を著しく向上させることができるようになった。
【発明を実施するための最良の形態】
【００１５】
本発明による噴水装置の最良の形態について図面により詳細に説明する。
図１は本発明による噴水装置の最良の形態を示す分解断面側面図である。同図において、１は噴水装置で、該噴水装置１は、動力を得るための羽根車からなる駆動機構２，該駆動機構２の回転数を減速するための遊星歯車による減速機３，流水を遮断・給水するための開閉弁４および流水を噴出するためのノズル５より構成されている。
駆動機構２は、噴水装置１のケーシング６の筒状部６ｂに回動自在に介装され、該ケーシング６は水源より流れる流水７の導水管８内に介装され、締付バンド９により該導水管８に固着されることにより、導水管８としての機能も果たすものである。
また、駆動機構２は、鉄やステンレス鋼等の板状部材を捻ることにより、また鋳造により、あるいは合成樹脂により一体的に螺旋状に形成され、流水７の流れにより回転可能であり、この回転力が動力の源となるものである。即ち、該駆動機構２が回転することにより、流水７の運動エネルギーを吸収して、後述する開閉弁４の回動のための回転エネルギーに変換するものである。駆動機構２の回転数は，当該捻り羽根の径，傾斜角等に依存するため一概に規定することができるものではない。
【００１６】
減速機３は、遊星歯車による減速機であり、上記駆動機構２は該遊星歯車の中心に位置する太陽ギヤ３ａの回転軸と同軸上に固定されている。該太陽ギヤ３ａの軸心部は、流水７が自由に流れることができるように空隙Ｓが設けられている。そして、遊星ギヤ３ｂは、太陽ギヤ３ａに複数個噛み合わさっていると共に、ケーシング６（６ａ）の内周壁に一体形成された外輪ギヤ３ｃに噛み合わされている。また、複数個の遊星ギヤ３ｂは、キャリア１０により一体的に、且つ個々の遊星ギヤ３ｂが回動可能に連結されている。該遊星歯車による減速機３の作用により、駆動機構２の回転数が大きく減速され回転力にトルクをもたせ、遊星ギヤ３ｂに伝達されることになる。
上記太陽ギヤ３ａ，遊星ギヤ３ｂおよび外輪ギヤ３ｃからなる遊星歯車による減速機３は、前記ケーシング６のギヤボックス６ａに収納されており、該外輪ギヤ３ｃは、ケーシング６のギヤボックス６ａの内周壁に一体的に形成されている。また、本実施例では太陽ギヤ３ａの外径を駆動機構２の外径よりやゝ大きめにしているが、これは流水７を流れやすくするために空隙Ｓを確保するためであるが、これに特定するものではなく、該太陽ギヤ３ａの外径を小さくし、歯数を少なくすれば、減速比を高めることができることは言うまでもない。それに、上記駆動機構２の回転軸と太陽ギヤ３ａの回転軸とが同軸に軸支できるので、導水管８中で生じる抵抗を極力抑えることができる。
【００１７】
上記開閉弁４は、ビス，ボルトなどの締付具１１により、遊星歯車の遊星ギヤ３ｂを連結するキャリア１０に回動可能に固着されており、上記減速機３と後述するノズル５との間に、且つ該ノズル５に当接して摺動自在に取着けられている。このように構成することにより、導水管８内を流水７が流れると、駆動機構２が回転し、この回転数が遊星歯車による減速機３により大きく減速され、遊星ギヤ３ｂおよびキャリア１０を介して開閉弁４を確実に回動させる。
例えば、駆動機構２が図１下方より見て時計回りの右回転をすると、太陽ギヤ３ａが該駆動機構２と一体的に同軸上に軸支されているため、太陽ギヤ３ａは同様に右回転し、該太陽ギヤ３ａに噛合する遊星ギヤ３ｂは、反時計回りに自転しながら外輪ギヤ３ｃ上を転動し、太陽ギヤ３ａと同方向に回動する。該外輪ギヤ３ｃは固定されているので、キャリア１０を介して遊星ギヤ３ｂに回動可能に取着されている開閉弁４は、同じく時計回りの右回転することになる。
該開閉弁４には、複数の連通孔１２，１２ａ，１２ｂ，・・がノズル５の通水孔５１，５１ａ，５１ｂ，・・に対向して対称に開設され、導水管８を流れてきた流水７が、該連通孔１２，１２ａ，１２ｂ，・・を通過して、同図中矢印で示すようにノズル５の通水孔５１，５１ａ，５１ｂ，・・に流れ込み、連結孔５２，５２ａ，５２ｂ，・・を通過して、吐出口５３，５３ａ，５３ｂ，・・より噴出される。
同図中符号１３は止水栓で、該止水栓１３を開くことにより導水管８へ流水７の供給を行い、閉じることにより導水管８へ流水７の供給を止めることができるものである。
【００１８】
上記ノズル５は、本実施例の場合、略半球状に形成されており、上記ケーシング６の外周縁６ｃに螺着されている。該ノズル５の底面には凹部１４が形成され、該凹部１４内には上記開閉弁４が収納されると共に、ノズル５の底面には開閉弁４の連通孔１２に対向して対称に通水孔５１，５１ａ，５１ｂ，５１ｃが設けられ、その表面には吐出口５３，５３ａ，５３ｂ，５３ｃが形成されている。また、該ノズル５内部には連結孔５２，５２ａ，５２ｂ，５２ｃが形成されており、該連結孔５２，５２ａ，５２ｂ，５２ｃにより上記通水孔５１，５１ａ，５１ｂ，５１ｃとそれぞれに対応する吐出口５３，５３ａ，５３ｂ，５３ｃとが連通されている。上記開閉弁４がノズル５の底面に当接し摺動して回動することにより、該ノズル５の底面に設けた通水孔５１，５１ａ，５１ｂ，５１ｃのいずれかと上記開閉弁４に開設した連通孔１２，１２ａ，１２ｂ，１２ｃのいずれかとが互いに合致したときに、流水７は合致した連通孔１２，１２ａ，１２ｂ，１２ｃから通水孔５１，５１ａ，５１ｂ，５１ｃに流れ、更に連結孔５２，５２ａ，５２ｂ，５２ｃを通って、それぞれに対応する吐出口５３，５３ａ，５３ｂ，５３ｃより対称に噴出され、噴水を形成するものである。
なお、本実施例では、開閉弁４をキャリア１０に締付具１１により取着したものを示したが、開閉弁４を直接遊星ギヤ３ｂに回動自在に直接取着しても良いことは言うまでもない。
【００１９】
上記ケーシング６は、ギヤボックス６ａと筒状部６ｂからなっており、ギヤボックス６ａには前記遊星歯車にて構成される減速機３が収納され、筒状部６ｂには上記駆動機構２が回動自在に介装されている。また、ギヤボックス６ａの内周壁にはギヤが設けられ、上記遊星歯車の外輪ギヤ３ｃの機能を果たすものである。これらギヤボックス６ａと筒状部６ｂとは、図１に示すように互いに螺合して形成しても良いし、一体的に形成しても良いことは言うまでもない。
上記した駆動機構２のケーシング６への取着のために必要な軸受・シールなどの細部構造については、通常の周知技術による装備がなされているが、これら全てを記載すると複雑になるので、詳細な説明並びに図面への記載については省略する。
【００２０】
次に、開閉弁４とノズル５との関係について、図面により詳細に説明する。
図２は、図１中Ｘ−Ｘ線における噴水装置１の断面平面説明図で、理解をしやすくするために開閉弁４とノズル５のみを示しており、開閉弁４は点線で示し、ノズル５は実線で示す。同図中図１と同じ符号のものは同一物を示し、詳細な説明は省略する。
同図に示すように、通水孔５１はノズル５の中心に設けられ、順次外方へ通水孔５１ａ〜５１ｃが中央の通水孔５１を中心にして左右対称に一直線上に設けられている。これに対し、開閉弁４には、上記ノズル５の通水孔５１と同じく中心に連通孔１２が、そして該通水孔５１ａ〜５１ｃに対向して四方へ十字状に連通孔１２ａ〜１２ｃが設けられている。このように構成することにより、中心に設けられた通水孔５１と連通孔１２は常時合致しているが、開閉弁４が同図中矢印の方向に回動することにより、通水孔５１ａと連通孔１２ａ，通水孔５１ｂと連通孔１２ｂ，通水孔５１ｃと連通孔１２ｃが合致すると、導水管８を流れる流水７は、連通孔１２，１２ａ，１２ｂ，１２ｃおよび通水孔５１，５１ａ，５１ｂ，５１ｃを流れ、図１に示す連結孔５２，５２ａ，５２ｂ，５２ｃを通過して、それぞれに対応する吐出口５３，５３ａ，５３ｂ，５３ｃより噴出することになる。
【００２１】
更に、開閉弁４が同図中矢印の方向に回動すると、通水孔５１のみが常時開かれているが、通水孔５１ａ，５１ｂ，５１ｃは閉じられ、流水７は連通孔１２，通水孔５１および連結孔５２を通過して吐出口５３のみから勢い良く噴出される。そして、開閉弁４が更に回動し、通水孔５１ａと連通孔１２ａ，通水孔５１ｂと連通孔１２ｂ，通水孔５１ｃと連通孔１２ｃが合致すると、導水管８を流れる流水７は、吐出口５３は勿論のこと、それぞれに対応する通水孔５１ａ〜５１ｃ，連結孔５２ａ〜５２ｃを通過して、吐出口５３ａ〜５３ｃからも噴出することになる。この場合、該流水７が定量であるため、吐出口５３ａ〜５３ｃから噴出される水量分が減るので、吐出口５３からの噴出量は減少することになる。このようにして、吐出口５３からの噴出水は高くなったり低くなったりすると共に、吐出口５３ａ，吐出口５３ｂ，吐出口５３ｃからは開閉弁４が９０度回動する毎に断続的に噴出される。
なお、本実施例では、連通孔１２ａ，１２ｂ，１２ｃの大きさを略同じにしているが、この場合、開閉弁４の回転角の関係で、同時に合致することなく、連通孔１２ａが合致してから、少しの時間差で連通孔１２ｂ、そして連通孔１２ｃと合致することになる。従って、噴出水にも時間差が生じることになり、噴水の挙動により変化のある演出を提供できるものである。不一致になる場合も同様である。また、該連通孔１２ａ，１２ｂ，１２ｃの大きさを順次大きくして、連通孔１２ｂ，連通孔１２ｃと外方へいくに従って大きな扇形にすると、連通孔１２ａ〜１２ｃと通水孔５１ａ〜５１ｃとはそれぞれ同時に合致することになり、吐出口５３ａ〜５３ｃから同時に噴出されることは言うまでもない。
【００２２】
上記のように、連通孔１２，１２ａ，１２ｂ，１２ｃと通水孔５１，５１ａ、５１ｂ，５１ｃとは、いずれかが合致するように設計し、吐出口５３，５３ａ，５３ｂ，５３ｃのいずれかから流水７が噴出するようにして、導水管８内の水圧が異常に高まらないようにすることが望ましい。
また、図２に記載の符号１１は締付具で、該締付具１１は４ヶ所設けられており、遊星ギヤ３ｂが４個回動自在に締結されていることを示している。この遊星ギヤ３ｂの数は、特定するものではない。以下の実施例においても同じである。
また、上記開閉弁４の取り付けについては、本実施例では締付具１１にて締付固定するように示したが、これに特定するものではなく、例えば遊星ギヤ３ｂに突起部を形成し、開閉弁４に凹部を形成することにより、これらを嵌合して固定するようにしても良い。
【００２３】
図３は噴水の状態を示す概略側面図で、上記開閉弁４の回動による噴水の変化を示したものである。図１では連結孔５２ｂ，５２ｃが少し傾斜した状態で示しているが、図３では詳細な説明の簡略化のため、連結孔５２を上方に向け形成したものを示している。
同図Ａは図２における状態、即ち連通孔１２，１２ａ，１２ｂ，１２ｃと通水孔５１，５１ａ，５１ｂ，５１ｃがそれぞれ合致した状態の噴水を示したもので、吐出口５３からの噴出水は低く、左右各３つの吐出口５３ａ〜５３ｃから小さな噴出水が形成される。同図Ｂは開閉弁４が回動し、通水孔５１ａ，５１ｂ，５１ｃを閉じた状態の噴水を示すもので、吐出口５３ａ，５３ｂ，５３ｃからは噴出されず、中央の吐出口５３のみからの噴出となる。この場合、流水７は定量であるため噴出水が高く噴出される。このように、開閉弁４の回動により、同図Ａおよび同図Ｂを繰り返し、噴水の形状を変化させるものである。
【００２４】
なお、吐出口５３ａ，吐出口５３ｂ，吐出口５３ｃの形状を図１に示すように、出口付近を押しつぶしたような断面扇形にしておくと、これらの吐出口５３，５３ａ，５３ｂ，５３ｃがあたかもお互いが繋がっているように、噴出水は全体的に扇状に噴出される。しかも、吐出口５３，５３ａ，５３ｂ，５３ｃがお互いに干渉し合い、孔雀が羽を広げたような形状で観賞することができる。図示しないが、該吐出口５３，５３ａ，５３ｂ，５３ｃが一般的な筒状のノズル形状であれば、図３Ａに示すような７本の線状の噴出水を観賞することができることは言うまでもない。
【実施例１】
【００２５】
図４は、本発明による噴水装置の他の実施例を示す分解断面側面図である。同図中図１に示した符号と同じものは、同一物を示し詳細な説明を省略する。同図において、本実施例は、前記駆動機構２を圧縮機のようなタービン構造にしたものである。該駆動機構２は、動翼２１と静翼２２とで構成され、動翼２１は遊星歯車より構成される減速機３の太陽ギヤ３ａに同軸上で回動可能に結合されており、静翼２２はケーシング６（６ｂ）に固着されている。これら動翼２１と静翼２２は、ガスタービンや蒸気タービンのブレードのようにお互いに対向して傾斜させて交互に形成されており、流水７の流れを動翼２１に向かうように変化させ、動翼２１がより確実に回転するようにしたものである。即ち、静翼２２は、流水７の流れが動翼２１へ向かうように流れを変え、動翼２１に流水７が効率良く当たるように傾斜されている。
本実施例の場合、図面の関係で動翼２１を２段、静翼２２を３段しか設けていないが、これらの段数は、本実施例に特定するものではなく、段数が多ければ多い程、回転エネルギーへの変換効率が高まることは言うまでもない。この回転数が遊星歯車よりなる減速機３により大きく減速され、遊星ギヤ３ｂに回動可能に固着された開閉弁４を回転させるものである。
その後の挙動については、前記した最良の形態で説明したものと同様に、回転数が減速機３により大きく減速され、開閉弁４がノズル５に当接してゆっくりと摺動しながら回動され、通水孔５１を開閉することにより噴出水を給水したり遮断したりすることにより、噴水の形状を変化させるものである。その挙動の詳細な説明は、省略する。
【実施例２】
【００２６】
図５は、本発明による噴水装置の他の実施例を示すもので、同図Ａはその要部断面側面図、同図Ｂは要部のみを示す平面図である。同図中図１に示した符号と同じものは、同一物を示し詳細な説明を省略する。
上記最良の形態および実施例においては、駆動機構２を流水７の導水管８中に設置したものを示したが、本実施例は該流水７の導水管８を分岐して駆動機構２を駆動するための専用のバイパス流路１６を設けたものである。該バイパス流路１６は、導水管８の途中より分岐され、該導水管８を取り巻くように配置され、再び導水管８に流れ込むように設けられている。該バイパス流路１６の途中には、水車よりなる駆動機構２が水平に設置されており、該駆動機構２の回転は複数の歯車の組み合わせからなる減速機３により減速され、開閉弁４を回動させるものである。
同図中符号１８が伝動ギヤで、該伝動ギヤ１８は、開閉弁４の外側縁に形成されたギヤに噛合されており、減速機３で減速された回転を開閉弁４に伝動し、該開閉弁４を回動するものである。
このように駆動機構２を収納する専用のバイパス流路を設けることにより、導水管８中には流水抵抗を増大させる羽根車などの余分な部品が全く存在しないので、噴出水にスムースな挙動が可能であり、噴出効率はより効果的であることは言うまでもない。
なお、同図では図面が複雑になるので、減速機３のカバーは図示していない。また、バイパス流路１６は、導水管８より分岐して再び導水管８に戻るようにした実施例を示したが、外部に放出するようにしても良いことは言うまでもない。
【実施例３】
【００２７】
図６は、本発明による噴水装置の他の実施例を示すもので、同図Ａはその分解断面側面図、同図Ｂは同図Ａ中Ｙ−Ｙ線における断面平面説明図で、同図Ｂは理解をしやすくするために開閉弁４と伝動ギヤ１８との噛合状態を示している。同図中図１に示した符号と同じものは、同一物を示し詳細な説明を省略する。
上記実施例においては、流水７の導水管８中に駆動機構２を設置し、流水の運動エネルギーを回転エネルギーに変換するものを示したが、本実施例は、ケーシング６に原動機ボックス１９を形成し、該原動機ボックス１９内にパルスモーターやステッピングモーターなどの原動機１７からなる駆動機構２を内臓し、該駆動機構２に一体的に結合した伝動ギヤ１８により開閉弁４を回動するものである。伝動ギヤ１８は開閉弁４の内側壁に形成した内歯ギヤに噛合している。また、該伝動ギヤ１８と駆動機構２との結合は、一方に凹部を形成し、他方に凸部を形成することにより、これらを合致させることにより結合・伝動する。本実施例の場合、同図Ａに示すように、伝動ギヤ１８側を凸部にし、駆動機構２側を凹部にしたものを示している。このように形成することにより、駆動機構２を差し込むようにして設置することにより容易に合致することができる。
【００２８】
なお、本実施例では、伝動ギヤ１８は開閉弁４の内歯ギヤに噛合している実施例を示したが、該伝動ギヤと開閉弁４との噛合は、本実施例のように開閉弁の内側に形成した内歯ギヤであっても良いし、図５に示すように開閉弁４の外周縁に歯車（「外歯ギヤ」と称す）を形成することにより、該外歯ギヤと噛合せても良い。また、図示しないが、断面コの字状の開閉弁４の端面に歯車を形成し、モーターを水平方向より差し込み、該歯車に噛み合わせるようにしても良い。
また、駆動機構２と伝動ギヤ１８との間に遊星歯車などの減速機を介装すれば、よりトルクが増し、伝動力がより一層確実に行うことができると共に、回転速度の制御がより簡便に行うことが可能となる。
また、同図Ｂに示すように、回転が自由なアイドルギヤ２０を噛合させれば、開閉弁４の回動をよりスムースに行わせることができる。
そして、開閉弁４の連通孔１２およびノズル５の吐出口５３の同じノズル５を同じ方向・同じ角度に複数本設置し、これらの開閉弁４の回動を同調させれば、より複雑で、よりダイナミックな演出が可能となる。
【実施例４】
【００２９】
図７は、本発明による噴水装置の開閉弁４およびノズル５との関係を示す他の実施例の断面平面説明図である。同図中図１および図２に示した符号と同じものは、同一物を示し詳細な説明を省略する。また、図面の作成要領については、図２と同じく開閉弁４とノズル５のみを示しており、開閉弁４は点線で示し、ノズル５は実線で示す。以下の実施例についても同じである。
本実施例によるノズル５の通水孔５１は、最良の形態では左右に直線状に形成したものであるのに対し、渦巻状に形成したものである。本実施例では片側８個の合計１６個の通水孔５１，５１ａ〜５１ｈを形成している。また、開閉弁４には、通水孔５１，５１ａ〜５１ｈの数に対向してそれぞれ連通孔１２を十字状に設けている。この場合、通水孔５１，５１ａ〜５１ｈは左右対称に設けているので、常に左右対称に噴出されるとともに、開閉弁４が一回転する間に吐出口５３，５３ａ〜５３ｈより４回噴出されることになる。しかも、通水孔５１，５１ａ〜５１ｈは渦巻状に形成しているので、通水孔５１ａと連通孔１２ａが合致してから多少の時間が経過して、通水孔５１ａと連通孔１２ａが不一致となり通水孔５１ａが閉じられると共に、通水孔５１ｂと連通孔１２ｂが合致し、更に、通水孔５１ｂと連通孔１２ｂが合致してから多少の時間が経過して、通水孔５１ｂと連通孔１２ｂが不一致となり通水孔５１ｂ閉じられると共に、通水孔５１ｃと連通孔１２ｃが合致する。このように順次時間差をもちながら、通水孔５１ａと連通孔１２ａの合致から通水孔５１ｈと連通孔１２ｈの合致まで、噴出水は徐々に外方に広がるように移動していくことになる。
本実施例の場合、開閉弁４の回動に伴い、上記実施例と同様に、流水７は吐出口５３から常時噴出されると共に、通水孔５１，５１ａ〜５１ｈおよび連結孔５２，５２ａ〜５２ｈ（不図示）を通って、それぞれに対応する吐出口５３ａ〜５３ｈから、開閉弁４が９０度回動する毎に断続的に噴出される。また、吐出口５３からの噴出水が、高くなったり低くなったりすることは最良の形態や上記実施例と同様である。
【実施例５】
【００３０】
図８は、本発明による噴水装置の開閉弁４およびノズル５との関係を示す他の実施例の断面平面説明図で、図７の開閉弁４がノズル５の通水孔５１に対向する連通孔１２を個々に設けたのに対し、本実施例では長方形の大きな連通孔１２を十字状に設けたものを示すものである。同図中図１および図２に示した符号と同じものは、同一物を示し詳細な説明を省略する。
本実施例は、図７に示す実施例の８個の連通孔１２を一つにまとめたもので、基本的には図７の上記実施例と変わりない挙動の噴水が観賞できる。即ち、通水孔５１ａと連通孔１２ａが合致してから多少の時間が経過して、通水孔５１ａと連通孔１２ａが不一致となって閉じられると共に通水孔５１ｂと連通孔１２ｂが合致し、更に、通水孔５１ｂと連通孔１２ｂが合致してから多少の時間が経過して、通水孔５１ｂと連通孔１２ｂが不一致となって閉じられると共に通水孔５１ｃと連通孔１２ｃが合致する。このように順次時間差をもちながら、通水孔５１ａと連通孔１２ａの合致から通水孔５１ｈと連通孔１２ｈの合致まで、噴出水は徐々に外方に広がるように移動していくことになる。また、吐出口５３，５３ａ〜５３ｈからの噴出水は、上記実施例と同様であり詳細な説明は省略する。
【実施例６】
【００３１】
図９は、本発明による噴水装置の開閉弁４およびノズル５との関係を示す他の実施例の断面平面説明図である。同図中図１および図２に示した符号と同じものは、同一物を示し詳細な説明を省略する。
本実施例による連通孔１２，１２ａ〜１２ｈは、図７および図８の開閉弁４が２対の連通孔１２を設けたのに対して、１対にすると共に、個々のノズル５の通水孔５１に対向するそれぞれの連通孔１２を弧状に長く設けたものである。従って、基本的には図７および図８の上記実施例と同じような挙動の噴水が観賞できるが、個々の吐出口５３，５３ａ〜５３ｈ（不図示）からの噴出水は、図７および図８の実施例の場合、開閉弁４が一回転する間に４回噴出するのに対し、本実施例の場合は２回の噴出となる。そして、このように連通孔１２を長く設けることにより、当然吐出口５３より噴出する時間が延びるとともに、吐出口５３は渦巻状に形成しているので、開閉弁４の回動に伴い、噴出水は複数の吐出口５３より噴出しながら徐々にユッタリと外方に広がるように移動していくことになる。
【実施例７】
【００３２】
図１０は、本発明による噴水装置の開閉弁４およびノズル５との関係を示す他の実施例の断面平面説明図である。同図中図１および図２に示した符号と同じものは、同一物を示し詳細な説明を省略する。
本実施例は、ノズル５に同一円周上で中心部に各２つの通水孔５１ａ，５１ｂおよび外周部に各４つの通水孔５１ｃ，５１ｄをそれぞれ設け、これらノズル５の通水孔５１ａ，５１ｂに対向してそれぞれ各２つの扇形の連通孔１２ａ，１２ｂを、通水孔５１ｃ，５１ｄに対向してそれぞれ各４つの扇形の連通孔１２ｃ，１２ｄを、それぞれ角度を少しづつずらせておおむね螺旋状に設けたものである。
従って、本実施例の場合、同図では全ての通水孔５１ａ〜５１ｄは合致しており、合計１２ヶ所の吐出口５３から噴出される。そして、同図中矢印で示すように開閉弁４が９０度回動すると、ノズル５の中心部に設けた通水孔５１ａ，５１ｂは不一致となり、通水孔５１ｃ，５１ｄのみが合致するので、該通水孔５１ｃ，５１ｄの各４ヶ所合計８ヶ所の吐出口５３から流水７が噴出されることになる。更に、開閉弁４が９０度回動すると、同図の状態になるので、合計１２ヶ所の吐出口５３から噴出される。このようにして、通水孔５１ａ，５１ｂは１８０度毎に合致し、通水孔５１ｃ，５１ｄは９０度毎に合致するものであり、非常に複雑な噴出水の形状を観賞することができる。
なお、本実施例の通水孔５１ａ，５１ｂ，５１ｃ，５１ｄは、おおむね対称に螺旋状に設けたものであるが、図２のように、一直線上に設けると、全く異なる噴水を演出することができることは言うまでもなく、種々の組み合わせが容易に考えられるものである。
【実施例８】
【００３３】
図１１および図１２は、本発明による噴水装置の開閉弁４およびノズル５との関係を示す他の実施例で、図１１はその断面平面説明図、図１２は本実施例による噴水装置の側面説明図である。同図中図１および図２に示した符号と同じものは、同一物を示し詳細な説明を省略する。
上記最良の形態および実施例１〜７ではノズル５の吐出口５３の形状が筒状のものを示したが、本実施例は吐出口５３（５３ａ〜５３ｃ）をリング状に形成したものである。各ノズル５の底面には、図１１に示すようにそれぞれ通水孔５１ａ〜５１ｃが吐出口５３に対しそれぞれ４個設けられており、連結孔５２により連結されている。同図に示すように、開閉弁４の連通孔１２は、図８の実施例と同様に長穴に形成されており、通水孔５１は常に２つの連通孔１２に繋がるようにしている。このように形成することにより、リング状のノズル５に充分な流水が供給され、綺麗なリング状の噴水が得られるようにしたものである。
また、通水孔５１と吐出口５３を連結する連結孔５２の中ほどには、図１２に示すように貯留部１５をそれぞれ通水孔５１と吐出口５３に対応してドーナツ状に形成しており、該貯留部１５により吐出口５３よりの噴出水を均一に噴出できるよう調整するものである。
【００３４】
本実施例の場合、図１１に示すように開閉弁４が回動することにより、連通孔１２が最外周の吐出口５３ｃの通水孔５１ｃに合致していたのが、徐々に内周の通水孔５１ｂ、更に通水孔５１ａへと移り、図１２に示すように、二点鎖線の低いリング状の噴水から、一点鎖線および実線で示す噴水へと変化するものである。なお、同図では図面が複雑になるので、噴水は断面側面図で示している。
なお、本実施例では、１つの吐出口５３に対し連通孔１２を複数個設けているが、勿論１個でも良いことは言うまでもない。
【実施例９】
【００３５】
図１３は、本発明による噴水装置の開閉弁４およびノズル５との関係を示す他の実施例の断面平面説明図で、同図Ａはノズル５のみを示す斜視図、同図Ｂはその平面図、同図Ｃは開閉弁４のみを示す斜視図である。同図中図１および図２に示した符号と同じものは、同一物を示し詳細な説明を省略する。
前記実施例では開閉弁４が平板状のものを示したが、本実施例は半球で王冠状の立体的な開閉弁４を示すものである。
同図示のとおり、ノズル５は前記最良の形態と同様に半球状であるが、通水孔５１と連結孔５２および吐出口５３を近接させたもので、同図Ａのノズル５を同図Ｃの開閉弁４に被せるようにして組み立てられるものである。本実施例の開閉弁４は、中空で傘の骨のように放射状に形成され椀状にしたもので、底部は図示しないが、前記遊星歯車の遊星ギヤ３ｂあるいはパルスモーターやステッピングモーターなどの原動機により回動可能に連結されている。
そして、本実施例の場合、吐出口５３は同図Ｂに示すように、螺旋状に４列形成されており、開閉弁４が同図Ｃ中矢印で示すように回動すると、吐出口５３は常時開かれているが、吐出口５３ａ，５３ｂ，５３ｃ，・・・，５３ｇの順に閉じられることになる。また、開閉弁４は放射状に形成されているため、吐出口５３ａ〜５３ｇのいずれかが開閉され、予期しない複雑な噴水が形成されることになる。しかも、吐出口５３は螺旋状に４列形成されているので、開閉弁４の回動に伴い、噴出水は４ヶ所の吐出口５３より噴出しながら徐々に外方に広がるように移動していくことになり、より複雑な景観を観賞できることになる。
なお、本実施例では、開閉弁４とノズル５の曲率半径を略同じにして図示しているので、通水孔５１と吐出口５３が近接し、連結孔５２がないように見えるが、開閉弁４の曲率半径を大きくすれば、連結孔５２を形成することができ、安定した噴出水を噴出することができる。
また、本実施例において、開閉弁４をノズル５内壁に沿って螺旋状に形成すれば、より変化のある噴水が形成される。
【００３６】
図１４はノズル５の吐出口５３の形状についての詳細断面図である。同図に示すように、ノズル５の吐出口５３は通水孔５１より徐々に直径を小さくし、該吐出口５３部分で直線状に形成している。吐出口５３の直線部の長さＬ１は、該吐出口５３の直径とほぼ同じ位が望ましい。また、通水孔５１の入口から直線部までの長さＬ２については、徐々に直径を小さくし円錐状に形成することが望ましい。いわゆる、流水が進むにつれて直径が小さくなっていくコンバージェント・ノズルが望ましい。
このノズル５の断面形状については、上記した最良の形態を含めた全ての実施例に適用できることは言うまでもない。
【００３７】
上記に説明した実施例は極一部であり、ノズル５の吐出口５３の位置・形状と開閉弁４の連通孔１２の位置・形状との組み合わせは、無限に考えられる。前記実施例でも説明したように、一種のノズル５の吐出口５３の形状に対し複数の開閉弁４が考えられ、これら導水管を流れる流水を遮断・給水するための開閉弁４と該流水を噴出するためのノズル５を交換することにより、噴出水の形状・噴出時間・動きなどを変えることができ、より美しい噴水の演出が可能であると共に、異なる噴水の挙動が得られることになる。また、逆に一種の開閉弁４の形状に対し複数のノズル５の吐出口５３が考えられ、同様にして噴出水の形状・噴出時間・動きなどを変えることができる。これら開閉弁４とノズル５は、螺合により取着されているので、取付交換は容易である。それに、上記開閉弁の回動方向を逆転させれば、全く異なる噴出水の動きを生じさせることができる。
また、実施例８で示したリング状のノズル５は、円形に特定するものではなく、三角形，四角形，五角形などの多角形状であっても良く、このような多角形の形状にすることにより、従来の常識を破る噴水を提供することができるものである。また、吐出口５３の形状をハート形，星形，魚形など、冠婚葬祭などの種々のイベントに即した形状にすれば、より適した演出効果を上げることができる。
同様にして、前記実施例ではノズル５が半球状のもので説明したが、該ノズル５を実施例２や実施例３のような円柱あるいは三角柱，四角柱などの多角柱で形成しても良く、またこのような多角柱のノズル５の吐出口５３に傾斜をつけることにより、大きく拡がる噴水を提供することができるものである。
【００３８】
この組み合わせは本発明による思想と同じくするものであれば、いずれでも良く、前記した実施例に特定するものではない。このように吐出口５３の位置・形状が異なるノズル５と連通孔１２の位置・形状が異なる開閉弁４の組み合わせを交換することにより、種々の噴水形状を現出することができることは、説明するまでもないことである。
そして、ノズル自体を噴水装置のケーシングに螺合により固着し、これらの内部に減速機などを収納しているので、確実に液密にすることができ、間隙部や摺動部からの漏水を防止することができると共に、ノズルの着脱が容易であり、水垢除去などの分解清掃を簡便に行うことができる。
なお、上記貯留部１５は実施例８についてのみ説明したが、前記した他の実施例にも適用できることは言うまでもない。
【図面の簡単な説明】
【００３９】
【図１】本発明による噴水装置の最良の形態を示す分解断面側面図である。
【図２】本発明による噴水装置の図１中Ｘ−Ｘ線における断面平面説明図である。
【図３】本発明の噴水装置による噴水の状態を示す概略側面図で、同図Ａは連通孔と通水孔が合致した状態の噴水を示し、同図Ｂは開閉弁が回動し、通水孔が閉じた状態の噴水を示すものである。
【図４】本発明による噴水装置の第一実施例を示す分解断面側面図である。
【図５】本発明による噴水装置の第二実施例を示すもので、同図Ａはその要部断面側面図、同図Ｂは要部のみを示す平面図である。
【図６】本発明による噴水装置の第三実施例を示すもので、同図Ａは分解断面側面図、同図Ｂは同図Ａ中Ｙ−Ｙ線における要部のみを示す断面平面説明図である。
【図７】本発明による噴水装置の開閉弁およびノズルのみを示す第四実施例を示す断面平面説明図である。
【図８】本発明による噴水装置の開閉弁およびノズルのみを示す第五実施例を示す断面平面説明図である。
【図９】本発明による噴水装置の開閉弁およびノズルのみを示す第六実施例を示す断面平面説明図である。
【図１０】本発明による噴水装置の開閉弁およびノズルのみを示す第七実施例を示す断面平面説明図である。
【図１１】本発明による噴水装置の開閉弁およびノズルのみを示す第八実施例を示す断面平面説明図である。
【図１２】本発明による噴水装置の図１１の側面説明図である。
【図１３】本発明による噴水装置の開閉弁およびノズルの第九実施例を示す側面説明図で、同図Ａはノズルのみを示す斜視図、同図Ｂはその平面図、同図Ｃは開閉弁を示す斜視図である。
【図１４】本発明によるノズルの吐出口の形状を示す詳細断面図である。
【符号の説明】
【００４０】
１    噴水装置
２    駆動機構
３    減速機
４    開閉弁
５    ノズル
５１  通水孔
５２  連結孔
５３  吐出口
６    ケーシング
７    流水
８    導水管
１１    締付具
１２    連通孔
１５    貯留部
１６    バイパス流路
【手続補正書】
【提出日】平成21年5月11日(2009.5.11)
【手続補正１】
【補正対象書類名】特許請求の範囲
【補正対象項目名】全文
【補正方法】変更
【補正の内容】
【特許請求の範囲】
【請求項１】
ノズルよりの噴出水に変化をもたせるようにした噴水装置であって、表面には吐出口が設けられ、底面には対称に通水孔が設けられ、これら吐出口と通水孔とは連結孔で連通し、該吐出口より流水を噴出するようにしたノズルと、流水の導水管内に回動可能に設置され、上記通水孔に対向して対称に複数の連通孔を設け、導水管中を流れる流水を遮断・給水する開閉弁および該開閉弁を回動するための駆動機構とから構成され、上記ノズルの底面に形成した凹部と噴水装置のケーシングとの間に、上記開閉弁および駆動機構の回転数を減速し該開閉弁を回動するための減速機を収納するようにし、上記開閉弁と上記ノズルの底面とを当接して摺動可能に設け、該開閉弁を回動させることにより、上記ノズル底面に形成した通水孔と開閉弁に開設した連通孔とが互いに合致したときに、該通水孔に対応するノズルの吐出口より流水が噴出するようにしたことを特徴とする噴水装置。
【手続補正２】
【補正対象書類名】明細書
【補正対象項目名】全文
【補正方法】変更
【補正の内容】
【発明の詳細な説明】
【技術分野】
【０００１】
本発明は、噴水装置に関するもので、噴出水に変化のある噴水を提供することができる噴水装置に係るものである。
【背景技術】
【０００２】
通常、公園あるいは工場の片隅に設置されている噴水は、山間を流れる渓流や谷間を流れ落ちる滝と同様、我々の耳，眼を楽しませてくれて、非常に心安らぐものである。
しかし、いずれの噴水も、単に真上に噴き上げられるだけで、噴出する水に全く変化のないものが殆んどである。なかには、機械的にある周期をもって水を噴出させたり止めたりして、断続的に変化をもたせたものや、噴出水の反動を利用してノズル本体を回動したり、揺動することにより、噴出水に回転運動あるいは揺動運動をさせるようにしたものがある。
また、数十本〜数百本の噴水ノズルをコンピュータ制御して噴出水に変化をつけ、美感を誘うようにしたものがあるが、これはハイテク噴水と呼ばれる噴水で、コンピュータ制御により、ＣＤやライブによる演奏等の音楽に合わせて照明を点滅したり、噴水ポンプや給水弁の開閉を行うことにより水を遮断・給水して、あたかも噴水形状が変化しているように演出し、水のダンス，アクアアートの世界を現出させるものである。
【０００３】
このような課題に対し、本発明者が考案した種々の噴水が提案されている。例えば、実公昭５４−４７９号公報には、噴出水を断面正方形から十字状へ連続的に変化させたり、あるいは逆円錐状から円柱状へ連続的に変化させることができる噴水が提案されている。また、実公昭５４−２２４０号公報には、噴出水に扇を連続的に開閉するような変化をさせる噴水が提案されている。
更に、実公昭５７−２０２９３号公報には、上記実公昭５４−２２４０号公報に記載されたのと同様に、噴出水に扇を連続的に開閉するような変化をさせる噴水が提案されている。
【０００４】
また、特開平８−１３１９００号公報には、ノズルから水平方向に噴出する水の流れを扇形拡散板によりほぼ直角方向に拡散させ、且つ該扇形拡散板により拡散する水の扇形開角を制限設定する一対の開角板を角度変更可能に設け、扇を開閉する形状の噴水にする扇形噴水装置が提案されている。
【０００５】
【特許文献１】実公昭５４−４７９号公報
【特許文献２】実公昭５４−２２４０号公報
【特許文献３】実公昭５７−２０２９３号公報
【特許文献４】特開平８−１３１９００号公報
【発明の開示】
【発明が解決しようとする課題】
【０００６】
上記特許文献に記載された噴水装置は、確かに噴出する水に変化はあるが、いずれも噴出水を単純な繰り返しの往復運動をさせるのみであり、観者にすぐ飽きられてしまうものである。
それに、特許文献１〜３に記載された噴水装置の場合、いずれも複数の歯車とカム機構を組み合わせたもので、機械的なロスが多く、流水により得られる駆動力を無駄なく確実に伝達するのが困難である。そして、流水の流路中にカム等が介在するため、流水抵抗が大きく、また、係合部や回動する軸支部が多いため、漏水発生の可能性が高まり噴出効率が悪い。
特許文献４に記載された噴水装置の場合、扇形拡散板により拡散する水の扇形開角を制限設定する一対の開角板を角度変更可能に設け、この一対の開角板の角度を変更駆動する開角変更駆動装置が必要であり、該装置を駆動するために外部からの強力な動力が不可欠であると共に、多大の設備投資が必要である。拡散水の扇形開角を変更することは可能であるが、開角変更すると、その開角での拡散水の変化はある。しかし、単にその角度の範囲内での往復運動をするにすぎない。従って、該噴水装置も単純な往復運動をさせるのみである。
また、上記した多数のノズルを使用して躍動感のある噴水の演出を行う設備を構築する場合には、これらの装置自体は勿論であるが、噴水装置を作動させるためのコンピュータ制御装置に莫大な費用を要するものである。それに、個々のノズルは単に断続的に噴出するのみで、複数のノズルが協調して初めて噴出水に動きがあるような演出が可能となるものである。
【０００７】
本発明者らは、その後研究開発を重ね、上記種々の問題を解消したもので、ノズル自体に複数の吐出口を設け、該吐出口に連通する通水孔を開閉弁によって開閉することにより、一本のノズルのみで噴出水自体に造形的でより変化のある美しい噴水を提供することを目的とするものである。
【課題を解決するための手段】
【０００８】
本発明は、ノズルよりの噴出水に変化をもたせるようにした噴水装置であって、表面には吐出口が設けられ、底面には対称に通水孔が設けられ、これら吐出口と通水孔とは連結孔で連通し、該吐出口より流水を噴出するようにしたノズルと、流水の導水管内に回動可能に設置され、上記通水孔に対向して対称に複数の連通孔を設け、導水管中を流れる流水を遮断・給水する開閉弁および該開閉弁を回動するための駆動機構とから構成され、上記ノズルの底面に形成した凹部と噴水装置のケーシングとの間に、上記開閉弁および駆動機構の回転数を減速し該開閉弁を回動するための減速機を収納するようにし、上記開閉弁と上記ノズルの底面とを当接して摺動可能に設け、該開閉弁を回動させることにより、上記ノズル底面に形成した通水孔と開閉弁に開設した連通孔とが互いに合致したときに、該通水孔に対応するノズルの吐出口より流水を噴出するようにしたことを特徴とする噴水装置である。
【発明の効果】
【０００９】
請求項１の本発明によれば、開閉弁には複数の対称の連通孔を設け、ノズルにはその表面に複数の吐出口を設け、底面には対称に通水孔が設けられ、これら吐出口と通水孔とは連結孔で連通し、該吐出口より流水を噴出するようにし、ノズルの吐出口に通じる通水孔を開閉弁により開閉し、流水を給水あるいは遮断するようにしたものであり、該開閉弁の回動により、上記ノズル底面に形成した通水孔と開閉弁に開設した連通孔とが互いに合致したときに、流水をノズルの吐出口へ給水するようにしたので、開閉弁の回動により吐出口より噴出する流水が時間とともに変化し、一本の噴水ノズルのみで、噴出水に動的で変化のある立体的な美しい噴水が演出できるようになった。上記開閉弁に設けた連通孔のレイアウトおよびノズルに設けた吐出口のレイアウトにより、噴出水の形状・噴出時間・動きなどの異なる噴水が実現でき、より変化に富む立体的な美しい噴水が演出できるようになった。
また、開閉弁は比較的ゆっくり回動しているため、ノズル底面に設けた通水孔を徐々に開いて全開し、そして徐々に閉じられるため、通水孔を通過する流水は、徐々に増量し徐々に減量されることになり、噴出水に趣のある雰囲気をかもし出すものである。
【００１０】
そして、開閉弁を回動するための駆動機構を、水の流れを利用して羽根車を回転させ、該羽根車の回転数を遊星歯車により大きく減速して回転力にトルクをもたせ、確実に開閉弁を回動するようにしているので、ポンプ・電動機・モーター等の外部よりの動力を全く必要とすることなく、水が流れているところであれば、どこであっても、いつまでも美しい躍動美あふれる噴水風景を提供することができるようになった。しかも、流水の流路には流水抵抗を増大させるものが存在しないので、噴出効率が著しく向上した。
そして、流水の運動エネルギーを利用して回転エネルギーに変換する構造にしているので、ポンプ・電動機・モーター等の外部よりの動力を全く必要としないので、これらに起因する故障がなく、従って補修の必要がなく、省エネルギー対策としての効果もあり、地球温暖化防止のためのＥＣＯ効果も大きい。
また、他の実施例として開閉弁の駆動機構をパルスモーターやステッピングモーターなどの原動機を装備して、開閉弁を回動するようにしているので、該開閉弁の回動速度を自由に制御することが可能であり、より安定した噴出水の演出が可能になると共に、噴出水に緩急をつけることにより、非常に変化のある演出が可能となる。
【００１１】
そして、対称の通水孔と吐出口を連結する連通孔の中ほどに、対称位置にある通水孔を互いに連通するように貯留部を形成したことにより、噴出水の水量を充分確保できると共に、噴出水の安定性を著しく向上させることができた。
【００１２】
ノズルは螺合によりケーシングに着脱可能としているので、これらノズルおよび開閉弁の着脱を容易に行うことができる。そのため、通水孔の位置・形状の異なる開閉弁および吐出口の位置・形状の異なるノズルをそれぞれ複数準備し、該開閉弁およびノズルを適宜組み合わせて交換することにより、噴出水の形状・噴出時間・動きなどを容易に変えることができ、より変化に富む立体的な美しい噴水を演出できるようになった。このように、開閉弁およびノズルの組合せを定期的に交換すれば、簡単に演出の異なる美しい噴水を提供することができ、観者に飽きさせることがなく、いつまでも新鮮な気持ちで噴水を観賞できるようになった。
また、本発明によれば、ノズル自体を噴水装置のケーシングに螺合あるいは嵌合により固着しているので、確実に液蜜にすることができ、間隙部や摺動部からの漏水を防止することができると共に、ノズルの着脱が容易であり、水垢除去などの分解清掃やノズルの清掃のメンテナンス作業を簡便に、しかも非常に容易に行うことができる。
【００１３】
羽根車は導水管を分岐して形成したバイパス流路内に設置しているので、噴水のための流水に全く抵抗が発生することなく、噴出水の安定性を著しく向上させることができるようになった。
【発明を実施するための最良の形態】
【００１４】
本発明による噴水装置の最良の形態について図面により詳細に説明する。
図１は本発明による噴水装置の最良の形態を示す分解断面側面図である。同図において、１は噴水装置で、該噴水装置１は、動力を得るための羽根車からなる駆動機構２，該駆動機構２の回転数を減速するための遊星歯車による減速機３，流水を遮断・給水するための開閉弁４および流水を噴出するためのノズル５より構成されている。
駆動機構２は、噴水装置１のケーシング６の筒状部６ｂに回動自在に介装され、該ケーシング６は水源より流れる流水７の導水管８内に介装され、締付バンド９により該導水管８に固着されることにより、導水管８としての機能も果たすものである。
また、駆動機構２は、鉄やステンレス鋼等の板状部材を捻ることにより、また鋳造により、あるいは合成樹脂により一体的に螺旋状に形成され、流水７の流れにより回転可能であり、この回転力が動力の源となるものである。即ち、該駆動機構２が回転することにより、流水７の運動エネルギーを吸収して、後述する開閉弁４の回動のための回転エネルギーに変換するものである。駆動機構２の回転数は，当該捻り羽根の径，傾斜角等に依存するため一概に規定することができるものではない。
【００１５】
減速機３は、遊星歯車による減速機であり、上記駆動機構２は該遊星歯車の中心に位置する太陽ギヤ３ａの回転軸と同軸上に固定されている。該太陽ギヤ３ａの軸心部は、流水７が自由に流れることができるように空隙Ｓが設けられている。そして、遊星ギヤ３ｂは、太陽ギヤ３ａに複数個噛み合わさっていると共に、ケーシング６（６ａ）の内周壁に一体形成された外輪ギヤ３ｃに噛み合わされている。また、複数個の遊星ギヤ３ｂは、キャリア１０により一体的に、且つ個々の遊星ギヤ３ｂが回動可能に連結されている。該遊星歯車による減速機３の作用により、駆動機構２の回転数が大きく減速され回転力にトルクをもたせ、遊星ギヤ３ｂに伝達されることになる。
上記太陽ギヤ３ａ，遊星ギヤ３ｂおよび外輪ギヤ３ｃからなる遊星歯車による減速機３は、前記ケーシング６のギヤボックス６ａに収納されており、該外輪ギヤ３ｃは、ケーシング６のギヤボックス６ａの内周壁に一体的に形成されている。また、本実施例では太陽ギヤ３ａの外径を駆動機構２の外径よりやゝ大きめにしているが、これは流水７を流れやすくするために空隙Ｓを確保するためであるが、これに特定するものではなく、該太陽ギヤ３ａの外径を小さくし、歯数を少なくすれば、減速比を高めることができることは言うまでもない。それに、上記駆動機構２の回転軸と太陽ギヤ３ａの回転軸とが同軸に軸支できるので、導水管８中で生じる抵抗を極力抑えることができる。
【００１６】
上記開閉弁４は、ビス，ボルトなどの締付具１１により、遊星歯車の遊星ギヤ３ｂを連結するキャリア１０に回動可能に固着されており、上記減速機３と後述するノズル５との間に、且つ該ノズル５に当接して摺動自在に取着けられている。このように構成することにより、導水管８内を流水７が流れると、駆動機構２が回転し、この回転数が遊星歯車による減速機３により大きく減速され、遊星ギヤ３ｂおよびキャリア１０を介して開閉弁４を確実に回動させる。
例えば、駆動機構２が図１下方より見て時計回りの右回転をすると、太陽ギヤ３ａが該駆動機構２と一体的に同軸上に軸支されているため、太陽ギヤ３ａは同様に右回転し、該太陽ギヤ３ａに噛合する遊星ギヤ３ｂは、反時計回りに自転しながら外輪ギヤ３ｃ上を転動し、太陽ギヤ３ａと同方向に回動する。該外輪ギヤ３ｃは固定されているので、キャリア１０を介して遊星ギヤ３ｂに回動可能に取着されている開閉弁４は、同じく時計回りの右回転することになる。
該開閉弁４には、複数の連通孔１２，１２ａ，１２ｂ，・・がノズル５の通水孔５１，５１ａ，５１ｂ，・・に対向して対称に開設され、導水管８を流れてきた流水７が、該連通孔１２，１２ａ，１２ｂ，・・を通過して、同図中矢印で示すようにノズル５の通水孔５１，５１ａ，５１ｂ，・・に流れ込み、連結孔５２，５２ａ，５２ｂ，・・を通過して、吐出口５３，５３ａ，５３ｂ，・・より噴出される。
同図中符号１３は止水栓で、該止水栓１３を開くことにより導水管８へ流水７の供給を行い、閉じることにより導水管８へ流水７の供給を止めることができるものである。
【００１７】
上記ノズル５は、本実施例の場合、略半球状に形成されており、上記ケーシング６の外周縁６ｃに螺着されている。該ノズル５の底面には凹部１４が形成され、該凹部１４内には上記開閉弁４が収納されると共に、ノズル５の底面には開閉弁４の連通孔１２に対向して対称に通水孔５１，５１ａ，５１ｂ，５１ｃが設けられ、その表面には吐出口５３，５３ａ，５３ｂ，５３ｃが形成されている。また、該ノズル５内部には連結孔５２，５２ａ，５２ｂ，５２ｃが形成されており、該連結孔５２，５２ａ，５２ｂ，５２ｃにより上記通水孔５１，５１ａ，５１ｂ，５１ｃとそれぞれに対応する吐出口５３，５３ａ，５３ｂ，５３ｃとが連通されている。上記開閉弁４がノズル５の底面に当接し摺動して回動することにより、該ノズル５の底面に設けた通水孔５１，５１ａ，５１ｂ，５１ｃのいずれかと上記開閉弁４に開設した連通孔１２，１２ａ，１２ｂ，１２ｃのいずれかとが互いに合致したときに、流水７は合致した連通孔１２，１２ａ，１２ｂ，１２ｃから通水孔５１，５１ａ，５１ｂ，５１ｃに流れ、更に連結孔５２，５２ａ，５２ｂ，５２ｃを通って、それぞれに対応する吐出口５３，５３ａ，５３ｂ，５３ｃより対称に噴出され、噴水を形成するものである。
なお、本実施例では、開閉弁４をキャリア１０に締付具１１により取着したものを示したが、開閉弁４を直接遊星ギヤ３ｂに回動自在に直接取着しても良いことは言うまでもない。
【００１８】
上記ケーシング６は、ギヤボックス６ａと筒状部６ｂからなっており、ギヤボックス６ａには前記遊星歯車にて構成される減速機３が収納され、筒状部６ｂには上記駆動機構２が回動自在に介装されている。また、ギヤボックス６ａの内周壁にはギヤが設けられ、上記遊星歯車の外輪ギヤ３ｃの機能を果たすものである。これらギヤボックス６ａと筒状部６ｂとは、図１に示すように互いに螺合して形成しても良いし、一体的に形成しても良いことは言うまでもない。
上記した駆動機構２のケーシング６への取着のために必要な軸受・シールなどの細部構造については、通常の周知技術による装備がなされているが、これら全てを記載すると複雑になるので、詳細な説明並びに図面への記載については省略する。
【００１９】
次に、開閉弁４とノズル５との関係について、図面により詳細に説明する。
図２は、図１中Ｘ−Ｘ線における噴水装置１の断面平面説明図で、理解をしやすくするために開閉弁４とノズル５のみを示しており、開閉弁４は点線で示し、ノズル５は実線で示す。同図中図１と同じ符号のものは同一物を示し、詳細な説明は省略する。
同図に示すように、通水孔５１はノズル５の中心に設けられ、順次外方へ通水孔５１ａ〜５１ｃが中央の通水孔５１を中心にして左右対称に一直線上に設けられている。これに対し、開閉弁４には、上記ノズル５の通水孔５１と同じく中心に連通孔１２が、そして該通水孔５１ａ〜５１ｃに対向して四方へ十字状に連通孔１２ａ〜１２ｃが設けられている。このように構成することにより、中心に設けられた通水孔５１と連通孔１２は常時合致しているが、開閉弁４が同図中矢印の方向に回動することにより、通水孔５１ａと連通孔１２ａ，通水孔５１ｂと連通孔１２ｂ，通水孔５１ｃと連通孔１２ｃが合致すると、導水管８を流れる流水７は、連通孔１２，１２ａ，１２ｂ，１２ｃおよび通水孔５１，５１ａ，５１ｂ，５１ｃを流れ、図１に示す連結孔５２，５２ａ，５２ｂ，５２ｃを通過して、それぞれに対応する吐出口５３，５３ａ，５３ｂ，５３ｃより噴出することになる。
【００２０】
更に、開閉弁４が同図中矢印の方向に回動すると、通水孔５１のみが常時開かれているが、通水孔５１ａ，５１ｂ，５１ｃは閉じられ、流水７は連通孔１２，通水孔５１および連結孔５２を通過して吐出口５３のみから勢い良く噴出される。そして、開閉弁４が更に回動し、通水孔５１ａと連通孔１２ａ，通水孔５１ｂと連通孔１２ｂ，通水孔５１ｃと連通孔１２ｃが合致すると、導水管８を流れる流水７は、吐出口５３は勿論のこと、それぞれに対応する通水孔５１ａ〜５１ｃ，連結孔５２ａ〜５２ｃを通過して、吐出口５３ａ〜５３ｃからも噴出することになる。この場合、該流水７が定量であるため、吐出口５３ａ〜５３ｃから噴出される水量分が減るので、吐出口５３からの噴出量は減少することになる。このようにして、吐出口５３からの噴出水は高くなったり低くなったりすると共に、吐出口５３ａ，吐出口５３ｂ，吐出口５３ｃからは開閉弁４が９０度回動する毎に断続的に噴出される。
なお、本実施例では、連通孔１２ａ，１２ｂ，１２ｃの大きさを略同じにしているが、この場合、開閉弁４の回転角の関係で、同時に合致することなく、連通孔１２ａが合致してから、少しの時間差で連通孔１２ｂ、そして連通孔１２ｃと合致することになる。従って、噴出水にも時間差が生じることになり、噴水の挙動により変化のある演出を提供できるものである。不一致になる場合も同様である。また、該連通孔１２ａ，１２ｂ，１２ｃの大きさを順次大きくして、連通孔１２ｂ，連通孔１２ｃと外方へいくに従って大きな扇形にすると、連通孔１２ａ〜１２ｃと通水孔５１ａ〜５１ｃとはそれぞれ同時に合致することになり、吐出口５３ａ〜５３ｃから同時に噴出されることは言うまでもない。
【００２１】
上記のように、連通孔１２，１２ａ，１２ｂ，１２ｃと通水孔５１，５１ａ、５１ｂ，５１ｃとは、いずれかが合致するように設計し、吐出口５３，５３ａ，５３ｂ，５３ｃのいずれかから流水７が噴出するようにして、導水管８内の水圧が異常に高まらないようにすることが望ましい。
また、図２に記載の符号１１は締付具で、該締付具１１は４ヶ所設けられており、遊星ギヤ３ｂが４個回動自在に締結されていることを示している。この遊星ギヤ３ｂの数は、特定するものではない。以下の実施例においても同じである。
また、上記開閉弁４の取り付けについては、本実施例では締付具１１にて締付固定するように示したが、これに特定するものではなく、例えば遊星ギヤ３ｂに突起部を形成し、開閉弁４に凹部を形成することにより、これらを嵌合して固定するようにしても良い。
【００２２】
図３は噴水の状態を示す概略側面図で、上記開閉弁４の回動による噴水の変化を示したものである。図１では連結孔５２ｂ，５２ｃが少し傾斜した状態で示しているが、図３では詳細な説明の簡略化のため、連結孔５２を上方に向け形成したものを示している。
同図Ａは図２における状態、即ち連通孔１２，１２ａ，１２ｂ，１２ｃと通水孔５１，５１ａ，５１ｂ，５１ｃがそれぞれ合致した状態の噴水を示したもので、吐出口５３からの噴出水は低く、左右各３つの吐出口５３ａ〜５３ｃから小さな噴出水が形成される。同図Ｂは開閉弁４が回動し、通水孔５１ａ，５１ｂ，５１ｃを閉じた状態の噴水を示すもので、吐出口５３ａ，５３ｂ，５３ｃからは噴出されず、中央の吐出口５３のみからの噴出となる。この場合、流水７は定量であるため噴出水が高く噴出される。このように、開閉弁４の回動により、同図Ａおよび同図Ｂを繰り返し、噴水の形状を変化させるものである。
【００２３】
なお、吐出口５３ａ，吐出口５３ｂ，吐出口５３ｃの形状を図１に示すように、出口付近を押しつぶしたような断面扇形にしておくと、これらの吐出口５３，５３ａ，５３ｂ，５３ｃがあたかもお互いが繋がっているように、噴出水は全体的に扇状に噴出される。しかも、吐出口５３，５３ａ，５３ｂ，５３ｃがお互いに干渉し合い、孔雀が羽を広げたような形状で観賞することができる。図示しないが、該吐出口５３，５３ａ，５３ｂ，５３ｃが一般的な筒状のノズル形状であれば、図３Ａに示すような７本の線状の噴出水を観賞することができることは言うまでもない。
【実施例１】
【００２４】
図４は、本発明による噴水装置の他の実施例を示す分解断面側面図である。同図中図１に示した符号と同じものは、同一物を示し詳細な説明を省略する。同図において、本実施例は、前記駆動機構２を圧縮機のようなタービン構造にしたものである。該駆動機構２は、動翼２１と静翼２２とで構成され、動翼２１は遊星歯車より構成される減速機３の太陽ギヤ３ａに同軸上で回動可能に結合されており、静翼２２はケーシング６（６ｂ）に固着されている。これら動翼２１と静翼２２は、ガスタービンや蒸気タービンのブレードのようにお互いに対向して傾斜させて交互に形成されており、流水７の流れを動翼２１に向かうように変化させ、動翼２１がより確実に回転するようにしたものである。即ち、静翼２２は、流水７の流れが動翼２１へ向かうように流れを変え、動翼２１に流水７が効率良く当たるように傾斜されている。
本実施例の場合、図面の関係で動翼２１を２段、静翼２２を３段しか設けていないが、これらの段数は、本実施例に特定するものではなく、段数が多ければ多い程、回転エネルギーへの変換効率が高まることは言うまでもない。この回転数が遊星歯車よりなる減速機３により大きく減速され、遊星ギヤ３ｂに回動可能に固着された開閉弁４を回転させるものである。
その後の挙動については、前記した最良の形態で説明したものと同様に、回転数が減速機３により大きく減速され、開閉弁４がノズル５に当接してゆっくりと摺動しながら回動され、通水孔５１を開閉することにより噴出水を給水したり遮断したりすることにより、噴水の形状を変化させるものである。その挙動の詳細な説明は、省略する。
【参考例１】
【００２５】
図５は、本発明による噴水装置の参考例を示すもので、同図Ａはその要部断面側面図、同図Ｂは要部のみを示す平面図である。同図中図１に示した符号と同じものは、同一物を示し詳細な説明を省略する。
上記最良の形態および実施例においては、駆動機構２を流水７の導水管８中に設置したものを示したが、本参考例は該流水７の導水管８を分岐して駆動機構２を駆動するための専用のバイパス流路１６を設けたものである。該バイパス流路１６は、導水管８の途中より分岐され、該導水管８を取り巻くように配置され、再び導水管８に流れ込むように設けられている。該バイパス流路１６の途中には、水車よりなる駆動機構２が水平に設置されており、該駆動機構２の回転は複数の歯車の組み合わせからなる減速機３により減速され、開閉弁４を回動させるものである。
同図中符号１８が伝動ギヤで、該伝動ギヤ１８は、開閉弁４の外側縁に形成されたギヤに噛合されており、減速機３で減速された回転を開閉弁４に伝動し、該開閉弁４を回動するものである。
このように駆動機構２を収納する専用のバイパス流路を設けることにより、導水管８中には流水抵抗を増大させる羽根車などの余分な部品が全く存在しないので、噴出水にスムースな挙動が可能であり、噴出効率はより効果的であることは言うまでもない。
なお、同図では図面が複雑になるので、減速機３のカバーは図示していない。また、バイパス流路１６は、導水管８より分岐して再び導水管８に戻るようにした参考例を示したが、外部に放出するようにしても良いことは言うまでもない。
【参考例２】
【００２６】
図６は、本発明による噴水装置の他の参考例を示すもので、同図Ａはその分解断面側面図、同図Ｂは同図Ａ中Ｙ−Ｙ線における断面平面説明図で、同図Ｂは理解をしやすくするために開閉弁４と伝動ギヤ１８との噛合状態を示している。同図中図１に示した符号と同じものは、同一物を示し詳細な説明を省略する。
上記実施例においては、流水７の導水管８中に駆動機構２を設置し、流水の運動エネルギーを回転エネルギーに変換するものを示したが、本参考例は、ケーシング６に原動機ボックス１９を形成し、該原動機ボックス１９内にパルスモーターやステッピングモーターなどの原動機１７からなる駆動機構２を内臓し、該駆動機構２に一体的に結合した伝動ギヤ１８により開閉弁４を回動するものである。伝動ギヤ１８は開閉弁４の内側壁に形成した内歯ギヤに噛合している。また、該伝動ギヤ１８と駆動機構２との結合は、一方に凹部を形成し、他方に凸部を形成することにより、これらを合致させることにより結合・伝動する。本参考例の場合、同図Ａに示すように、伝動ギヤ１８側を凸部にし、駆動機構２側を凹部にしたものを示している。このように形成することにより、駆動機構２を差し込むようにして設置することにより容易に合致することができる。
【００２７】
なお、本参考例では、伝動ギヤ１８は開閉弁４の内歯ギヤに噛合している実施例を示したが、該伝動ギヤと開閉弁４との噛合は、本参考例のように開閉弁の内側に形成した内歯ギヤであっても良いし、図５に示すように開閉弁４の外周縁に歯車（「外歯ギヤ」と称す）を形成することにより、該外歯ギヤと噛合せても良い。また、図示しないが、断面コの字状の開閉弁４の端面に歯車を形成し、モーターを水平方向より差し込み、該歯車に噛み合わせるようにしても良い。
また、駆動機構２と伝動ギヤ１８との間に遊星歯車などの減速機を介装すれば、よりトルクが増し、伝動力がより一層確実に行うことができると共に、回転速度の制御がより簡便に行うことが可能となる。
また、同図Ｂに示すように、回転が自由なアイドルギヤ２０を噛合させれば、開閉弁４の回動をよりスムースに行わせることができる。
そして、開閉弁４の連通孔１２およびノズル５の吐出口５３の同じノズル５を同じ方向・同じ角度に複数本設置し、これらの開閉弁４の回動を同調させれば、より複雑で、よりダイナミックな演出が可能となる。
【実施例２】
【００２８】
図７は、本発明による噴水装置の開閉弁４およびノズル５との関係を示す他の実施例の断面平面説明図である。同図中図１および図２に示した符号と同じものは、同一物を示し詳細な説明を省略する。また、図面の作成要領については、図２と同じく開閉弁４とノズル５のみを示しており、開閉弁４は点線で示し、ノズル５は実線で示す。以下の実施例についても同じである。
本実施例によるノズル５の通水孔５１は、最良の形態では左右に直線状に形成したものであるのに対し、渦巻状に形成したものである。本実施例では片側８個の合計１６個の通水孔５１，５１ａ〜５１ｈを形成している。また、開閉弁４には、通水孔５１，５１ａ〜５１ｈの数に対向してそれぞれ連通孔１２を十字状に設けている。この場合、通水孔５１，５１ａ〜５１ｈは左右対称に設けているので、常に左右対称に噴出されるとともに、開閉弁４が一回転する間に吐出口５３，５３ａ〜５３ｈより４回噴出されることになる。しかも、通水孔５１，５１ａ〜５１ｈは渦巻状に形成しているので、通水孔５１ａと連通孔１２ａが合致してから多少の時間が経過して、通水孔５１ａと連通孔１２ａが不一致となり通水孔５１ａが閉じられると共に、通水孔５１ｂと連通孔１２ｂが合致し、更に、通水孔５１ｂと連通孔１２ｂが合致してから多少の時間が経過して、通水孔５１ｂと連通孔１２ｂが不一致となり通水孔５１ｂ閉じられると共に、通水孔５１ｃと連通孔１２ｃが合致する。このように順次時間差をもちながら、通水孔５１ａと連通孔１２ａの合致から通水孔５１ｈと連通孔１２ｈの合致まで、噴出水は徐々に外方に広がるように移動していくことになる。
本実施例の場合、開閉弁４の回動に伴い、上記実施例と同様に、流水７は吐出口５３から常時噴出されると共に、通水孔５１，５１ａ〜５１ｈおよび連結孔５２，５２ａ〜５２ｈ（不図示）を通って、それぞれに対応する吐出口５３ａ〜５３ｈから、開閉弁４が９０度回動する毎に断続的に噴出される。また、吐出口５３からの噴出水が、高くなったり低くなったりすることは最良の形態や上記実施例と同様である。
【実施例３】
【００２９】
図８は、本発明による噴水装置の開閉弁４およびノズル５との関係を示す他の実施例の断面平面説明図で、図７の開閉弁４がノズル５の通水孔５１に対向する連通孔１２を個々に設けたのに対し、本実施例では長方形の大きな連通孔１２を十字状に設けたものを示すものである。同図中図１および図２に示した符号と同じものは、同一物を示し詳細な説明を省略する。
本実施例は、図７に示す実施例の８個の連通孔１２を一つにまとめたもので、基本的には図７の上記実施例と変わりない挙動の噴水が観賞できる。即ち、通水孔５１ａと連通孔１２ａが合致してから多少の時間が経過して、通水孔５１ａと連通孔１２ａが不一致となって閉じられると共に通水孔５１ｂと連通孔１２ｂが合致し、更に、通水孔５１ｂと連通孔１２ｂが合致してから多少の時間が経過して、通水孔５１ｂと連通孔１２ｂが不一致となって閉じられると共に通水孔５１ｃと連通孔１２ｃが合致する。このように順次時間差をもちながら、通水孔５１ａと連通孔１２ａの合致から通水孔５１ｈと連通孔１２ｈの合致まで、噴出水は徐々に外方に広がるように移動していくことになる。また、吐出口５３，５３ａ〜５３ｈからの噴出水は、上記実施例と同様であり詳細な説明は省略する。
【実施例４】
【００３０】
図９は、本発明による噴水装置の開閉弁４およびノズル５との関係を示す他の実施例の断面平面説明図である。同図中図１および図２に示した符号と同じものは、同一物を示し詳細な説明を省略する。
本実施例による連通孔１２，１２ａ〜１２ｈは、図７および図８の開閉弁４が２対の連通孔１２を設けたのに対して、１対にすると共に、個々のノズル５の通水孔５１に対向するそれぞれの連通孔１２を弧状に長く設けたものである。従って、基本的には図７および図８の上記実施例と同じような挙動の噴水が観賞できるが、個々の吐出口５３，５３ａ〜５３ｈ（不図示）からの噴出水は、図７および図８の実施例の場合、開閉弁４が一回転する間に４回噴出するのに対し、本実施例の場合は２回の噴出となる。そして、このように連通孔１２を長く設けることにより、当然吐出口５３より噴出する時間が延びるとともに、吐出口５３は渦巻状に形成しているので、開閉弁４の回動に伴い、噴出水は複数の吐出口５３より噴出しながら徐々にユッタリと外方に広がるように移動していくことになる。
【実施例５】
【００３１】
図１０は、本発明による噴水装置の開閉弁４およびノズル５との関係を示す他の実施例の断面平面説明図である。同図中図１および図２に示した符号と同じものは、同一物を示し詳細な説明を省略する。
本実施例は、ノズル５に同一円周上で中心部に各２つの通水孔５１ａ，５１ｂおよび外周部に各４つの通水孔５１ｃ，５１ｄをそれぞれ設け、これらノズル５の通水孔５１ａ，５１ｂに対向してそれぞれ各２つの扇形の連通孔１２ａ，１２ｂを、通水孔５１ｃ，５１ｄに対向してそれぞれ各４つの扇形の連通孔１２ｃ，１２ｄを、それぞれ角度を少しづつずらせておおむね螺旋状に設けたものである。
従って、本実施例の場合、同図では全ての通水孔５１ａ〜５１ｄは合致しており、合計１２ヶ所の吐出口５３から噴出される。そして、同図中矢印で示すように開閉弁４が９０度回動すると、ノズル５の中心部に設けた通水孔５１ａ，５１ｂは不一致となり、通水孔５１ｃ，５１ｄのみが合致するので、該通水孔５１ｃ，５１ｄの各４ヶ所合計８ヶ所の吐出口５３から流水７が噴出されることになる。更に、開閉弁４が９０度回動すると、同図の状態になるので、合計１２ヶ所の吐出口５３から噴出される。このようにして、通水孔５１ａ，５１ｂは１８０度毎に合致し、通水孔５１ｃ，５１ｄは９０度毎に合致するものであり、非常に複雑な噴出水の形状を観賞することができる。
なお、本実施例の通水孔５１ａ，５１ｂ，５１ｃ，５１ｄは、おおむね対称に螺旋状に設けたものであるが、図２のように、一直線上に設けると、全く異なる噴水を演出することができることは言うまでもなく、種々の組み合わせが容易に考えられるものである。
【実施例６】
【００３２】
図１１および図１２は、本発明による噴水装置の開閉弁４およびノズル５との関係を示す他の実施例で、図１１はその断面平面説明図、図１２は本実施例による噴水装置の側面説明図である。同図中図１および図２に示した符号と同じものは、同一物を示し詳細な説明を省略する。
上記最良の形態および実施例１〜５ではノズル５の吐出口５３の形状が筒状のものを示したが、本実施例は吐出口５３（５３ａ〜５３ｃ）をリング状に形成したものである。各ノズル５の底面には、図１１に示すようにそれぞれ通水孔５１ａ〜５１ｃが吐出口５３に対しそれぞれ４個設けられており、連結孔５２により連結されている。同図に示すように、開閉弁４の連通孔１２は、図８の実施例と同様に長穴に形成されており、通水孔５１は常に２つの連通孔１２に繋がるようにしている。このように形成することにより、リング状のノズル５に充分な流水が供給され、綺麗なリング状の噴水が得られるようにしたものである。
また、通水孔５１と吐出口５３を連結する連結孔５２の中ほどには、図１２に示すように貯留部１５をそれぞれ通水孔５１と吐出口５３に対応してドーナツ状に形成しており、該貯留部１５により吐出口５３よりの噴出水を均一に噴出できるよう調整するものである。
【００３３】
本実施例の場合、図１１に示すように開閉弁４が回動することにより、連通孔１２が最外周の吐出口５３ｃの通水孔５１ｃに合致していたのが、徐々に内周の通水孔５１ｂ、更に通水孔５１ａへと移り、図１２に示すように、二点鎖線の低いリング状の噴水から、一点鎖線および実線で示す噴水へと変化するものである。なお、同図では図面が複雑になるので、噴水は断面側面図で示している。
なお、本実施例では、１つの吐出口５３に対し連通孔１２を複数個設けているが、勿論１個でも良いことは言うまでもない。
【実施例７】
【００３４】
図１３は、本発明による噴水装置の開閉弁４およびノズル５との関係を示す他の実施例の断面平面説明図で、同図Ａはノズル５のみを示す斜視図、同図Ｂはその平面図、同図Ｃは開閉弁４のみを示す斜視図である。同図中図１および図２に示した符号と同じものは、同一物を示し詳細な説明を省略する。
前記実施例では開閉弁４が平板状のものを示したが、本実施例は半球で王冠状の立体的な開閉弁４を示すものである。
同図示のとおり、ノズル５は前記最良の形態と同様に半球状であるが、通水孔５１と連結孔５２および吐出口５３を近接させたもので、同図Ａのノズル５を同図Ｃの開閉弁４に被せるようにして組み立てられるものである。本実施例の開閉弁４は、中空で傘の骨のように放射状に形成され椀状にしたもので、底部は図示しないが、前記遊星歯車の遊星ギヤ３ｂあるいはパルスモーターやステッピングモーターなどの原動機により回動可能に連結されている。
そして、本実施例の場合、吐出口５３は同図Ｂに示すように、螺旋状に４列形成されており、開閉弁４が同図Ｃ中矢印で示すように回動すると、吐出口５３は常時開かれているが、吐出口５３ａ，５３ｂ，５３ｃ，・・・，５３ｇの順に閉じられることになる。また、開閉弁４は放射状に形成されているため、吐出口５３ａ〜５３ｇのいずれかが開閉され、予期しない複雑な噴水が形成されることになる。しかも、吐出口５３は螺旋状に４列形成されているので、開閉弁４の回動に伴い、噴出水は４ヶ所の吐出口５３より噴出しながら徐々に外方に広がるように移動していくことになり、より複雑な景観を観賞できることになる。
なお、本実施例では、開閉弁４とノズル５の曲率半径を略同じにして図示しているので、通水孔５１と吐出口５３が近接し、連結孔５２がないように見えるが、開閉弁４の曲率半径を大きくすれば、連結孔５２を形成することができ、安定した噴出水を噴出することができる。
また、本実施例において、開閉弁４をノズル５内壁に沿って螺旋状に形成すれば、より変化のある噴水が形成される。
【００３５】
図１４はノズル５の吐出口５３の形状についての詳細断面図である。同図に示すように、ノズル５の吐出口５３は通水孔５１より徐々に直径を小さくし、該吐出口５３部分で直線状に形成している。吐出口５３の直線部の長さＬ１は、該吐出口５３の直径とほぼ同じ位が望ましい。また、通水孔５１の入口から直線部までの長さＬ２については、徐々に直径を小さくし円錐状に形成することが望ましい。いわゆる、流水が進むにつれて直径が小さくなっていくコンバージェント・ノズルが望ましい。
このノズル５の断面形状については、上記した最良の形態を含めた全ての実施例に適用できることは言うまでもない。
【００３６】
上記に説明した実施例は極一部であり、ノズル５の吐出口５３の位置・形状と開閉弁４の連通孔１２の位置・形状との組み合わせは、無限に考えられる。前記実施例でも説明したように、一種のノズル５の吐出口５３の形状に対し複数の開閉弁４が考えられ、これら導水管を流れる流水を遮断・給水するための開閉弁４と該流水を噴出するためのノズル５を交換することにより、噴出水の形状・噴出時間・動きなどを変えることができ、より美しい噴水の演出が可能であると共に、異なる噴水の挙動が得られることになる。また、逆に一種の開閉弁４の形状に対し複数のノズル５の吐出口５３が考えられ、同様にして噴出水の形状・噴出時間・動きなどを変えることができる。これら開閉弁４とノズル５は、螺合により取着されているので、取付交換は容易である。それに、上記開閉弁の回動方向を逆転させれば、全く異なる噴出水の動きを生じさせることができる。
また、実施例６で示したリング状のノズル５は、円形に特定するものではなく、三角形，四角形，五角形などの多角形状であっても良く、このような多角形の形状にすることにより、従来の常識を破る噴水を提供することができるものである。また、吐出口５３の形状をハート形，星形，魚形など、冠婚葬祭などの種々のイベントに即した形状にすれば、より適した演出効果を上げることができる。
同様にして、前記実施例ではノズル５が半球状のもので説明したが、該ノズル５を参考例１や参考例２のような円柱あるいは三角柱，四角柱などの多角柱で形成しても良く、またこのような多角柱のノズル５の吐出口５３に傾斜をつけることにより、大きく拡がる噴水を提供することができるものである。
【００３７】
この組み合わせは本発明による思想と同じくするものであれば、いずれでも良く、前記した実施例に特定するものではない。このように吐出口５３の位置・形状が異なるノズル５と連通孔１２の位置・形状が異なる開閉弁４の組み合わせを交換することにより、種々の噴水形状を現出することができることは、説明するまでもないことである。
そして、ノズル自体を噴水装置のケーシングに螺合することにより固着し、これらの内部に減速機などを収納しているので、確実に液密にすることができ、間隙部や摺動部からの漏水を防止することができると共に、ノズルの着脱が容易であり、水垢除去などの分解清掃を簡便に行うことができる。
なお、上記貯留部１５は実施例８についてのみ説明したが、前記した他の実施例にも適用できることは言うまでもない。
【図面の簡単な説明】
【００３８】
【図１】本発明による噴水装置の最良の形態を示す分解断面側面図である。
【図２】本発明による噴水装置の図１中Ｘ−Ｘ線における断面平面説明図である。
【図３】本発明の噴水装置による噴水の状態を示す概略側面図で、同図Ａは連通孔と通水孔が合致した状態の噴水を示し、同図Ｂは開閉弁が回動し、通水孔が閉じた状態の噴水を示すものである。
【図４】本発明による噴水装置の第一実施例を示す分解断面側面図である。
【図５】本発明による噴水装置の参考例１を示すもので、同図Ａはその要部断面側面図、同図Ｂは要部のみを示す平面図である。
【図６】本発明による噴水装置の参考例２を示すもので、同図Ａは分解断面側面図、同図Ｂは同図Ａ中Ｙ−Ｙ線における要部のみを示す断面平面説明図である。
【図７】本発明による噴水装置の開閉弁およびノズルのみを示す第二実施例を示す断面平面説明図である。
【図８】本発明による噴水装置の開閉弁およびノズルのみを示す第三実施例を示す断面平面説明図である。
【図９】本発明による噴水装置の開閉弁およびノズルのみを示す第四実施例を示す断面平面説明図である。
【図１０】本発明による噴水装置の開閉弁およびノズルのみを示す第五実施例を示す断面平面説明図である。
【図１１】本発明による噴水装置の開閉弁およびノズルのみを示す第六実施例を示す断面平面説明図である。
【図１２】本発明による噴水装置の図１１の側面説明図である。
【図１３】本発明による噴水装置の開閉弁およびノズルの第七実施例を示す側面説明図で、同図Ａはノズルのみを示す斜視図、同図Ｂはその平面図、同図Ｃは開閉弁を示す斜視図である。
【図１４】本発明によるノズルの吐出口の形状を示す詳細断面図である。
【符号の説明】
【００３９】
１    噴水装置
２    駆動機構
３    減速機
４    開閉弁
５    ノズル
５１  通水孔
５２  連結孔
５３  吐出口
６    ケーシング
７    流水
８    導水管
１１    締付具
１２    連通孔
１５    貯留部
１６    バイパス流路